(57)【要約】本明細書では、無線通信システムにおけるアップリンク同期を設定する装置及び方法を提供する。本明細書の一実施形態によって、多数のコンポーネントキャリアを運営する基地局でのアップリンク同期設定は、上記基地局がユーザ端末と接続を実行した後、コンポーネントキャリア集合情報を設定し、設定されたコンポーネントキャリア集合でアップリンクタイミンググループを生成し、上記生成されたアップリンクタイミンググループ情報をユーザ端末に送信する構成を含むことを特徴とする。
2013520065.tif 000002
【特許請求の範囲】
【請求項１】
無線通信システムにおける基地局のアップリンク同期を設定する方法であって、
ユーザ端末からアップリンクタイミンググループ内の１つ以上の代表コンポーネントキャリアを通じて同期化要請メッセージを受信するステップと、
前記アップリンク同期を設定するために、アップリンクタイミンググループに対応するアップリンク同期化情報を前記１つ以上の代表コンポーネントキャリアを通じて前記ユーザ端末に送信するステップと、を含み、
前記１つ以上の代表コンポーネントキャリアは、前記アップリンク同期を設定するために、前記アップリンクタイミンググループの状態及び前記アップリンクタイミンググループを構成する多数のコンポーネントキャリアの特徴を考慮して、前記ユーザ端末により選択された代表コンポーネントキャリアであることを特徴とする、アップリンク同期設定方法。
【請求項２】
前記１つ以上の代表コンポーネントキャリアは、
前記アップリンクタイミンググループを構成する多数のコンポーネントキャリアのうち、i）最も低い中心周波数値を有するコンポーネントキャリア、ii）最も平均に近い中心周波数値を有するコンポーネントキャリア、iii）最も高い中心周波数値を有するコンポーネントキャリア、iv）周波数帯域が最も広いコンポーネントキャリア、またはv）ダウンリンク品質をモニターリングするために設定されたコンポーネントキャリアのうち、少なくとも１つであることを特徴とし、
前記コンポーネントキャリアは、１つ以上のサービングセル内に含まれることを特徴とする、請求項１に記載のアップリンク同期設定方法。
【請求項３】
前記アップリンクタイミンググループは、
前記多数のコンポーネントキャリアのうち、i）中心周波数値の差がしきい値以内の範囲である少なくとも１つのコンポーネントキャリアから構成され、ii）同一なビームフォーミングになる少なくとも１つのコンポーネントキャリアから構成され、iii）同一な無線網内の装置で使われる少なくとも１つのコンポーネントキャリアから構成され、またはiv）他のアップリンクタイミンググループに属しない少なくとも１つのコンポーネントキャリアから構成され、
前記アップリンクタイミンググループは、前記ユーザ端末または前記基地局により構成されることを含むことを特徴とする、請求項１に記載のアップリンク同期設定方法。
【請求項４】
前記同期化要請メッセージを受信するステップの以前に、前記ユーザ端末により使われるコンポーネントキャリア集合を設定するステップと、
前記設定されたコンポーネントキャリア集合に対する情報を主サービングセルまたは主コンポーネントキャリアを通じて前記ユーザ端末に送信するステップをさらに含むことを特徴とする、請求項１に記載のアップリンク同期設定方法。
【請求項５】
前記コンポーネントキャリア集合のうち、i）中心周波数値の差がしきい値以内の範囲である少なくとも１つのコンポーネントキャリア、ii）同一なビームフォーミングになる少なくとも１つのコンポーネントキャリア、iii）同一な無線網内の装置で使われる少なくとも１つのコンポーネントキャリア、iv）他アップリンクタイミンググループに属しない少なくとも１つのコンポーネントキャリアを含むアップリンクタイミンググループを構成するステップと、
前記アップリンクタイミンググループに対する情報と前記コンポーネントキャリア集合に対する情報を同一なメッセージを通じて送信する、または前記アップリンクタイミンググループに対する情報を前記コンポーネントキャリア集合に対する情報を送信した以後に相異するメッセージを通じて前記ユーザ端末に送信するステップと、
をさらに含むことを特徴とする、請求項４に記載のアップリンク同期設定方法。
【請求項６】
前記同期化要請メッセージを受信するステップは、
ランダムアクセスプリアンブル信号を受信するものであり、
前記ユーザ端末から前記１つ以上の代表コンポーネントキャリアを通じて同時にまたは順次に前記ランダムアクセスプリアンブル信号を受信するステップであることを特徴とする、請求項１に記載のアップリンク同期設定方法。
【請求項７】
前記受信された同期化要請メッセージに対応して前記アップリンクタイミンググループに対応する各グループ別のアップリンク転送時間を調節するタイミング補正（ＴＡ）の値を計算するステップと、
前記計算されたタイミング補正（ＴＡ）の値を前記ユーザ端末のためのアップリンク割当情報とランダムアクセス応答メッセージを通じて前記ユーザ端末に送信するステップと、
をさらに含むことを特徴とする、請求項１に記載のアップリンク同期設定方法。
【請求項８】
前記アップリンク同期化情報は、
前記ユーザ端末に使われることに設定されたコンポーネントキャリア集合内の多数のコンポーネントキャリア同士間の中心周波数値の差と予め定まったしきい値とを比較して計算される、
または、同一なビームフォーミングの形態を有するコンポーネントキャリア、同期化更新要請によって更新されたコンポーネントキャリア、もしくはマクロセルでサービスしないコンポーネントキャリアであるが前記マクロセルより小さなカバレッジセルによって重畳した空間でサービスされるコンポーネントキャリアであるかを確認して、相異する転送時間を有するように計算されることを特徴とする、請求項１に記載のアップリンク同期設定方法。
【請求項９】
無線通信システムにおけるユーザ端末のアップリンク同期を設定する方法であって、
アップリンクタイミンググループ内の１つ以上の代表コンポーネントキャリアを通じて同期化要請メッセージを基地局に送信するステップと、
前記アップリンク同期を設定するためのアップリンクタイミンググループに対応するアップリンク同期化情報を前記１つ以上の代表コンポーネントキャリアを通じて前記基地局から受信するステップと、
前記１つ以上の代表コンポーネントキャリアを通じて受信された前記アップリンク同期化情報を前記アップリンクタイミンググループに適用して同期を設定するステップと、を含み、
前記１つ以上の代表コンポーネントキャリアは、前記アップリンク同期を設定するために、前記アップリンクタイミンググループの状態及び前記アップリンクタイミンググループを構成する多数のコンポーネントキャリアの特徴を考慮して前記ユーザ端末により選択された代表コンポーネントキャリアであることを特徴とする、アップリンク同期設定方法。
【請求項１０】
前記１つ以上の代表コンポーネントキャリアは、
前記アップリンクタイミンググループを構成する多数のコンポーネントキャリアのうち、i）最も低い中心周波数値を有するコンポーネントキャリア、ii）最も平均に近い中心周波数値を有するコンポーネントキャリア、iii）最も高い中心周波数値を有するコンポーネントキャリア、iv）周波数帯域が最も広いコンポーネントキャリア、またはv）ダウンリンク品質をモニターリングするために設定されたコンポーネントキャリアのうち、少なくとも１つであることを特徴とし、
前記コンポーネントキャリアは、１つ以上のサービングセル内に含まれることを特徴とする、請求項９に記載のアップリンク同期設定方法。
【請求項１１】
前記アップリンクタイミンググループは、
前記多数のコンポーネントキャリアのうち、i）中心周波数値の差がしきい値以内の範囲である少なくとも１つのコンポーネントキャリアから構成され、ii）同一なビームフォーミングになる少なくとも１つのコンポーネントキャリアから構成され、iii）同一な無線網内の装置で使われる少なくとも１つのコンポーネントキャリアから構成され、またはiv）他のアップリンクタイミンググループに属しない少なくとも１つのコンポーネントキャリアから構成され、
前記アップリンクタイミンググループは、前記ユーザ端末または前記基地局により構成されることを含むことを特徴とする、請求項９に記載のアップリンク同期設定方法。
【請求項１２】
前記同期化要請メッセージを送信するステップの以前に、前記基地局から前記ユーザ端末が使用するコンポーネントキャリア集合に対する情報を主サービングセルまたは主コンポーネントキャリアを通じて受信するステップをさらに含むことを特徴とする、請求項９に記載のアップリンク同期設定方法。
【請求項１３】
前記コンポーネントキャリア集合情報を基盤に前記コンポーネントキャリア集合内のコンポーネントキャリアに対するシステム関連情報を受信するステップと、
前記受信したシステム関連情報で前記コンポーネントキャリア集合内の全てのアップリンクコンポーネントキャリアを通じて同時に前記同期化要請メッセージを前記基地局に送信するステップと、
前記基地局からアップリンクタイミンググループ情報を受信するステップと、
前記受信したアップリンクタイミンググループと関連したダウンリンクコンポーネントキャリアのうちの全部または一部のコンポーネントキャリアを通じてアップリンク同期化情報を同時に受信するステップと、
前記アップリンク同期化情報が受信されたコンポーネントキャリアと関連したアップリンクコンポーネントキャリアを前記受信したアップリンクタイミンググループ内の代表コンポーネントキャリアに設定するステップをさらに含むことを特徴とする、請求項１２に記載のアップリンク同期設定方法。
【請求項１４】
前記アップリンクタイミンググループに対する情報と前記コンポーネントキャリア集合に対する情報を同一なメッセージを通じて受信する、または、
前記アップリンクタイミンググループに対する情報を、前記コンポーネントキャリア集合に対する情報を受信した以後に相異するメッセージを通じて前記基地局から受信するステップをさらに含むことを特徴とする、請求項１２に記載のアップリンク同期設定方法。
【請求項１５】
前記同期化要請メッセージを送信するステップは、
ランダムアクセスプリアンブル信号を送信するものであり、
前記基地局に前記１つ以上の代表コンポーネントキャリアを通じて同時にまたは順次に前記ランダムアクセスプリアンブルを送信するステップであることを特徴とする、請求項９に記載のアップリンク同期設定方法。
【請求項１６】
前記送信された同期化要請メッセージに対応して前記アップリンクタイミンググループに対応する各グループ別のアップリンク転送時間を調節するように計算されたタイミング補正（ＴＡ）の値を前記アップリンク割当情報とランダムアクセス応答メッセージを通じて前記基地局から受信するステップを含むことを特徴とする、請求項９に記載のアップリンク同期設定方法。
【請求項１７】
前記アップリンク同期化情報は、
前記アップリンクタイミンググループに対応して区別されたタイミング補正（ＴＡ）の値、前記アップリンクタイミンググループに対応して区別された定まった単位誤差、もしくは前記アップリンクタイミンググループに対応して区別された誤差が定まった単位値に対応して整数倍の大きさを有するように構成され、または前記アップリンクタイミンググループに対応して定まった規則に従う指示子から構成され、
前記アップリンク同期化情報は、前記アップリンクタイミンググループのグループインデックスに対応して区別されることをさらに含むことを特徴とする、請求項９に記載のアップリンク同期設定方法。
【請求項１８】
無線通信システムにおけるアップリンク同期を設定する基地局であって、
前記アップリンク同期を設定するために、アップリンクタイミンググループに対応するアップリンク同期化情報を生成する制御部と、
ユーザ端末から前記アップリンクタイミンググループ内の１つ以上の代表コンポーネントキャリアを通じて同期化要請メッセージを受信し、前記アップリンク同期化情報を前記１つ以上の代表コンポーネントキャリアを通じて前記ユーザ端末に送信する送受信部と、を含み、
前記１つ以上の代表コンポーネントキャリアは、前記アップリンク同期を設定するために、前記アップリンクタイミンググループの状態及び前記アップリンクタイミンググループを構成する多数のコンポーネントキャリアの特徴を考慮して前記ユーザ端末により選択された代表コンポーネントキャリアであることを特徴とする、アップリンク同期設定装置。
【請求項１９】
前記制御部は、
前記１つ以上の代表コンポーネントキャリアが前記アップリンクタイミンググループを構成する多数のコンポーネントキャリアのうち、i）最も低い中心周波数値を有するコンポーネントキャリア、ii）最も平均に近い中心周波数値を有するコンポーネントキャリア、iii）最も高い中心周波数値を有するコンポーネントキャリア、iv）周波数帯域が最も広いコンポーネントキャリア、またはv）ダウンリンク品質をモニターリングするために設定されたコンポーネントキャリアのうち、少なくとも１つであることを確認し、
前記コンポーネントキャリアが１つ以上のサービングセル内に含まれることを確認することを特徴とする、請求項１８に記載のアップリンク同期設定装置。
【請求項２０】
前記多数のコンポーネントキャリアのうち、i）中心周波数値の差がしきい値以内の範囲である少なくとも１つのコンポーネントキャリアから構成され、ii）同一なビームフォーミングになる少なくとも１つのコンポーネントキャリアから構成され、iii）同一な無線網内の装置で使われる少なくとも１つのコンポーネントキャリアから構成され、またはiv）他のアップリンクタイミンググループに属しない少なくとも１つのコンポーネントキャリアから構成されるように前記アップリンクタイミンググループを生成するアップリンクタイミンググループ生成部をさらに含むことを特徴とする、請求項１８に記載のアップリンク同期設定装置。
【請求項２１】
コンポーネントキャリア集合を決定するコンポーネントキャリア集合決定部をさらに含み、
前記制御部は、前記決まったコンポーネントキャリア集合を参照して、前記ユーザ端末により使われるコンポーネントキャリア集合に設定し、
前記送受信部は、前記制御部の制御によって前記同期化要請メッセージを受信する前に、前記設定されたコンポーネントキャリア集合に対する情報を主サービングセルまたは主コンポーネントキャリアを通じて前記ユーザ端末に送信することを特徴とする、請求項１８に記載のアップリンク同期設定装置。
【請求項２２】
前記制御部は、
前記アップリンクタイミンググループに対する情報と前記コンポーネントキャリア集合に対する情報を同一なメッセージを通じて送信する、または、
前記アップリンクタイミンググループに対する情報を前記コンポーネントキャリア集合に対する情報を送信した以後に相異するメッセージを通じて前記ユーザ端末に送信するように前記送受信部を制御することを特徴とする、請求項１８に記載のアップリンク同期設定装置。
【請求項２３】
前記送受信部は、
前記同期化要請メッセージがランダムアクセスプリアンブル信号か否かを確認し、
前記ユーザ端末から前記１つ以上の代表コンポーネントキャリアを通じて同時に、または順次に前記ランダムアクセスプリアンブル信号を受信することを特徴とする、請求項１８に記載のアップリンク同期設定装置。
【請求項２４】
前記制御部は、
前記受信された同期化要請メッセージに対応して前記アップリンクタイミンググループに対応する各グループ別のアップリンク転送時間を調節するタイミング補正（ＴＡ）の値を計算し、
前記送受信部により前記計算されたタイミング補正（ＴＡ）の値を前記ユーザ端末のためのアップリンク割当情報とランダムアクセス応答メッセージを通じて前記ユーザ端末に送信するように制御することを特徴とする、請求項１８に記載のアップリンク同期設定装置。
【請求項２５】
前記制御部は、
前記ユーザ端末に構成されるコンポーネントキャリア集合内の多数のコンポーネントキャリア同士間の中心周波数値の差と予め定まったしきい値とを比較して前記アップリンク同期化情報を計算する、または同一なビームフォーミング形態を有するコンポーネントキャリア、同期化更新要請によって更新されたコンポーネントキャリア、もしくはマクロセルでサービスしないコンポーネントキャリアであるが、前記マクロセルより小さなカバレッジセルによって重畳した空間でサービスされるコンポーネントキャリアであるかを確認して相異する転送時間を有するように計算することを特徴とする、請求項１８に記載のアップリンク同期設定装置。
【請求項２６】
無線通信システムにおけるアップリンク同期を設定するユーザ端末であって、
アップリンクタイミンググループ内の１つ以上の代表コンポーネントキャリアを通じて基地局に同期化要請メッセージを送信し、前記１つ以上の代表コンポーネントキャリアを通じて前記アップリンクタイミンググループに対応するアップリンク同期化情報を受信する送受信部と、
前記送受信部により受信されたアップリンク同期化情報を確認する制御部と、
前記制御部により確認された前記アップリンク同期化情報を用いて前記アップリンクタイミンググループのアップリンク同期を設定するアップリンクタイミング調整部と、を含み、
前記１つ以上の代表コンポーネントキャリアは、前記アップリンク同期を設定するために、前記アップリンクタイミンググループの状態及び前記アップリンクタイミンググループを構成する多数のコンポーネントキャリアの特徴を考慮して前記ユーザ端末により選択された代表コンポーネントキャリアであることを特徴とする、アップリンク同期設定装置。
【請求項２７】
前記アップリンクタイミンググループを構成する多数のコンポーネントキャリアのうち、i）最も低い中心周波数値を有するコンポーネントキャリア、ii）最も平均に近い中心周波数値を有するコンポーネントキャリア、iii）最も高い中心周波数値を有するコンポーネントキャリア、iv）周波数帯域が最も広いコンポーネントキャリア、またはv）ダウンリンク品質をモニターリングするために設定されたコンポーネントキャリアのうち、少なくとも１つを代表コンポーネントキャリアに設定するアップリンクタイミンググループ生成部をさらに含み、
前記コンポーネントキャリアは、１つ以上のサービングセル内に含まれることを特徴とする、請求項２６に記載のアップリンク同期設定装置。
【請求項２８】
前記アップリンクタイミンググループ生成部は、
前記多数のコンポーネントキャリアのうち、i）中心周波数値の差がしきい値以内の範囲である少なくとも１つのコンポーネントキャリアから構成され、ii）同一なビームフォーミングになる少なくとも１つのコンポーネントキャリアから構成され、iii）同一な無線網内の装置で使われる少なくとも１つのコンポーネントキャリアから構成され、またはiv）他アップリンクタイミンググループに属しない少なくとも１つのコンポーネントキャリアから構成されるように、前記アップリンクタイミンググループを生成することを特徴とする、請求項２６に記載のアップリンク同期設定装置。
【請求項２９】
前記送受信部は、
前記同期化要請メッセージを送信する前に、前記基地局から前記ユーザ端末が使用するコンポーネントキャリア集合に対する情報を主サービングセルまたは主コンポーネントキャリアを通じて受信することを特徴とする、請求項２６に記載のアップリンク同期設定装置。
【請求項３０】
前記制御部は、
前記送受信部を通じて前記コンポーネントキャリア集合情報を基盤にコンポーネントキャリア集合内のコンポーネントキャリアに対するシステム関連情報を受信し、前記受信したシステム関連情報で前記コンポーネントキャリア集合内の全てのアップリンクコンポーネントキャリアを通じて同時に前記同期化要請メッセージを前記基地局に送信するように制御し、
前記基地局からアップリンクタイミンググループ情報を受信し、前記受信したアップリンクタイミンググループと関連したダウンリンクコンポーネントキャリアのうちの全部または一部のコンポーネントキャリアを通じてアップリンク同期化情報を同時に受信した以後、前記アップリンク同期化情報が受信されたコンポーネントキャリアと関連したアップリンクコンポーネントキャリアを前記受信したアップリンクタイミンググループ内の代表コンポーネントキャリアに設定することを特徴とする、請求項２９に記載のアップリンク同期設定装置。
【請求項３１】
前記制御部は、
前記送受信部を通じて前記アップリンクタイミンググループに対する情報と前記コンポーネントキャリア集合に対する情報を同一なメッセージを通じて受信する、
または、前記アップリンクタイミンググループに対する情報を前記コンポーネントキャリア集合に対する情報を受信した以後に相異するメッセージを通じて前記基地局から受信するように制御することを特徴とする、請求項２９に記載のアップリンク同期設定装置。
【請求項３２】
前記送受信部は、
前記同期化要請メッセージがランダムアクセスプリアンブル信号か否かを確認し、
前記１つ以上の代表コンポーネントキャリアを通じて同時にまたは順次に前記ランダムアクセスプリアンブルを前記基地局に送信することを特徴とする、請求項２６に記載のアップリンク同期設定装置。
【請求項３３】
前記制御部は、
前記送受信部により前記送信された同期化要請メッセージに対応して受信されたランダムアクセス応答メッセージを通じて、前記アップリンク割当情報と前記アップリンクタイミンググループに対応する各グループ別のアップリンク転送時間を調節するように計算されたタイミング補正（ＴＡ）の値を確認することを特徴とする、請求項２６に記載のアップリンク同期設定装置。
【請求項３４】
前記アップリンクタイミング調整部は、
前記制御部により確認されたアップリンク同期化情報を用いて、前記アップリンクタイミンググループに対応して区別されたタイミング補正（ＴＡ）の値を用いてアップリンク同期を設定し、前記アップリンクタイミンググループに対応して区別された定まった単位誤差を用いてアップリンク同期を設定し、前記アップリンクタイミンググループに対応して区別された誤差が定まった単位値に対応して整数倍の大きさを用いてアップリンク同期を設定し、または前記アップリンクタイミンググループに対応して定まった規則に従う指示子を用いてアップリンク同期を設定し、
前記アップリンク同期化情報は、前記アップリンクタイミンググループのグループインデックスに対応して区別されることをさらに含むことを特徴とする、請求項２６に記載のアップリンク同期設定装置。
【発明の詳細な説明】
【技術分野】
【０００１】
無線通信システムにおけるアップリンク同期を設定する装置及び方法を提供するものであって、少なくとも１つ以上のコンポーネントキャリアに対するアップリンク同期を設定する装置及び方法に関するものである。
【背景技術】
【０００２】
無線通信システムにおけるユーザ端末と基地局との間の同期化は重要な問題である。なぜならば、同期化されなければ、ユーザ端末と基地局とは正常な情報が交換できないためである。
【０００３】
一方、１つのコンポーネントキャリアまたは１つのサービス帯域をサポートする既存の無線通信システムと異なり、現在の無線通信システムは多数のコンポーネントキャリアを使用してユーザサービス要求を満たすようにする。しかしながら、上記多数のコンポーネントキャリアに対してどのように同期化を実行するかに対する具体的な議論が定まっていない状態である。
【０００４】
また説明すれば、通信を実行するために同期化はネットワークの効率に大きい影響を及ぼす要素であり、このような要素を考慮した多数のコンポーネントキャリアが存在する無線通信システムにおける効果的な同期化方案が必要なのが実状である。
【発明の概要】
【発明が解決しようとする課題】
【０００５】
本発明の目的は、同期化過程の効率性はネットワークの効率性に直結し、転送の安定性も保証するようになるので、多数のコンポーネントキャリアを運用する無線通信ネットワーク環境でアップリンク同期を設定して同期化の過程を効率的に運用することにある。
【０００６】
本発明の他の目的は、無線通信システムにおける同期を設定する装置及び方法を提供することにある。
【０００７】
本発明の更に他の目的は、無線通信システムにおける同期を設定するための同期化情報を送受信する装置及び方法を提供することにある。
【０００８】
本発明の更に他の目的は、無線通信システムにおける多数のコンポーネントキャリアに対する同期グループを設定する装置及び方法を提供することにある。
【０００９】
本発明の更に他の目的は、無線通信システムにおける端末の接続状態を考慮して多数のコンポーネントキャリアに対する同期グループを設定する装置及び方法を提供することにある。
【００１０】
本発明の更に他の目的は、無線通信システムにおける使用可能な多数のコンポーネントキャリアの特性を考慮して同期グループを設定する装置及び方法を提供することにある。
【００１１】
本発明の更に他の目的は、無線通信システムにおける多数のコンポーネントキャリアに対するアップリンクタイミング同期グループを設定する端末装置及び方法を提供することにある。
【００１２】
本発明の更に他の目的は、無線通信システムにおけるランダムアクセス手続きを通じて多数のコンポーネントキャリアに対する同期情報を獲得して基地局との同期を設定及びアップデートする端末装置及び方法を提供することにある。
【課題を解決するための手段】
【００１３】
前述した課題を解決するために、本発明の一実施形態によるアップリンク同期設定方法は、無線通信システムにおける基地局のアップリンク同期を設定する方法において、ユーザ端末からアップリンクタイミンググループ内の１つ以上の代表コンポーネントキャリアを通じて同期化要請メッセージを受信するステップ、及び上記アップリンク同期を設定するために、アップリンクタイミンググループに対応するアップリンク同期化情報を、上記１つ以上の代表コンポーネントキャリアを通じて上記ユーザ端末に送信するステップを含み、上記１つ以上の代表コンポーネントキャリアは、上記アップリンク同期を設定するために、上記アップリンクタイミンググループの状態及び上記アップリンクタイミンググループを構成する多数のコンポーネントキャリアの特徴を考慮して上記ユーザ端末により選択された代表コンポーネントキャリアであることを特徴とする。
【００１４】
本発明の他の実施形態によるアップリンク同期設定方法は、無線通信システムにおけるユーザ端末のアップリンク同期を設定する方法において、アップリンクタイミンググループ内の１つ以上の代表コンポーネントキャリアを通じて同期化要請メッセージを基地局に送信するステップ、及び上記アップリンク同期を設定するためのアップリンクタイミンググループに対応するアップリンク同期化情報を、上記１つ以上の代表コンポーネントキャリアを通じて上記基地局から受信するステップ、上記１つ以上の代表コンポーネントキャリアを通じて受信された上記アップリンク同期化情報を上記アップリンクタイミンググループに適用して同期を設定するステップを含み、上記１つ以上の代表コンポーネントキャリアは、上記アップリンク同期を設定するために、上記アップリンクタイミンググループの状態及び上記アップリンクタイミンググループを構成する多数のコンポーネントキャリアの特徴を考慮して上記ユーザ端末により選択された代表コンポーネントキャリアであることを特徴とする。
【００１５】
本発明の更に他の実施形態による無線通信システムにおけるアップリンク同期を設定する基地局において、上記アップリンク同期を設定するために、アップリンクタイミンググループに対応するアップリンク同期化情報を生成する制御部、及びユーザ端末から上記アップリンクタイミンググループ内の１つ以上の代表コンポーネントキャリアを通じて同期化要請メッセージを受信し、上記アップリンク同期化情報を上記１つ以上の代表コンポーネントキャリアを通じて上記ユーザ端末に送信する送受信部を含み、上記１つ以上の代表コンポーネントキャリアは、上記アップリンク同期を設定するために、上記アップリンクタイミンググループの状態及び上記アップリンクタイミンググループを構成する多数のコンポーネントキャリアの特徴を考慮して上記ユーザ端末により選択された代表コンポーネントキャリアであることを特徴とする。
【００１６】
本発明の更に他の実施形態による無線通信システムにおけるアップリンク同期を設定するユーザ端末において、アップリンクタイミンググループ内の１つ以上の代表コンポーネントキャリアを通じて基地局に同期化要請メッセージを送信し、上記１つ以上の代表コンポーネントキャリアを通じて上記アップリンクタイミンググループに対応するアップリンク同期化情報を受信する送受信部、上記送受信部により受信されたアップリンク同期化情報を確認する制御部、上記制御部により確認された上記アップリンク同期化情報を用いて上記アップリンクタイミンググループのアップリンク同期を設定するアップリンクタイミング調整部を含み、上記１つ以上の代表コンポーネントキャリアは、上記アップリンク同期を設定するために、上記アップリンクタイミンググループの状態及び上記アップリンクタイミンググループを構成する多数のコンポーネントキャリアの特徴を考慮して上記ユーザ端末により選択された代表コンポーネントキャリアであることを特徴とする。
【発明の効果】
【００１７】
本発明によれば、多数のコンポーネントキャリアを運用する無線通信ネットワーク環境でアップリンク同期を設定して同期化過程を効率的に運用することができる。
【図面の簡単な説明】
【００１８】
【図１】多数のコンポーネントキャリアが構成される例を示す図である。
【図２】同期化過程でのタイミング補正（Timing Advance；ＴＡ）と関連した例を示す図である。
【図３】ユーザ端末と基地局との間のランダムアクセス過程を示す図である。
【図４】本明細書の一実施形態によるアップリンク同期を獲得する過程を示す図である。
【図５】本明細書の他の実施形態によるアップリンク同期の獲得手続きを示す図である。
【図６】本発明の更に他の実施形態によるアップリンク同期の獲得手続きを示す図である。
【図７】本明細書の一実施形態による基地局で端末の要請により端末がアップリンク同期の獲得をすることができるようにする図である。
【図８】本明細書の一実施形態によるＵＥでアップリンクタイミンググループを用いてアップリンク同期化を獲得する過程を示す図である。
【図９】本明細書の一実施形態によるＵＥでアップリンクタイミンググループを用いてアップリンク同期化を獲得する過程を示す図である。
【図１０】本明細書の一実施形態による基地局の構成を示す図である。
【図１１】本明細書の一実施形態によるＵＥの構成を示す図である。
【発明を実施するための形態】
【００１９】
以下、本明細書では一部の実施形態を例示的な図面を通じて詳細に説明する。各図面の構成要素に参照符号を付加するに当たって、同一な構成要素に対してはたとえ他の図面上に表示されても、できる限り同一な符号を有するようにしていることに留意しなければならない。また、本明細書の実施形態を説明するに当たって、関連した公知構成または機能に対する具体的な説明が本明細書の要旨を曖昧にすることができると判断される場合には、その詳細な説明は省略する。
【００２０】
また、本明細書は無線通信システムを一例として説明し、無線通信でなされる作業は該当無線通信を管轄するシステムと、上記システムとデータを送信する無線通信機器で実行される全ての作業などを含むことを特徴とする。本発明において、無線通信システムは、音声、パケットデータなどの多様な通信サービスを提供する。一実施形態によって、本発明の無線通信システムは一例として、端末（User Equipment；ＵＥ）及び基地局（evolved Node-B；ｅＮＢ）を含むことを特徴とする。
【００２１】
本明細書において、端末は無線通信におけるユーザ端末を意味する包括的な概念であって、ＷＣＤＭＡ及びＬＴＥ（Long Term Evolution）、ＨＳＰＡなどでのＵＥ（User Equipment）は勿論であるが、ＧＳＭ（登録商標）でのＭＳ（Mobile Station）、ＵＴ（User Terminal）、ＳＳ（Subscriber Station）、無線機器（wireless device）などを全て含む概念として解釈されるべきである。
【００２２】
ｅＮＢまたはセル（cell）は、一般的に端末と通信する固定局（fixedstation）をいい、ノード−Ｂ（Node-B）、ＢＴＳ（Base Transceiver System）、アクセスポイント（AccessPoint）等、他の用語と呼ばれることもできる。
【００２３】
本明細書において、ｅＮＢまたはセルは、ＣＤＭＡでのＢＳＣ（Base Station Controller）、ＷＣＤＭＡの無線ネットワーク制御器（ＲＮＣ）などがカバーする一部の領域を表す包括的な意味として解釈されなければならず、また、メガセル、マクロセル、マイクロセル、ピコセル、フェムトセル等、多様なセルのカバレッジ領域を全て包括する意味として解釈されるべきである。
【００２４】
本明細書において、ＵＥとｅＮＢは本明細書で記述する技術または技術的事象の実現をするために使われる２つの送受信主体であり、包括的な意味として使われて、特定に指称される用語または単語により限定されない。
【００２５】
また、本明細書において、無線通信システムに適用される多重接続技法には制限がない。ＣＤＭＡ（Code Division Multiple Access）、ＴＤＭＡ（Time Division Multiple Access）、ＦＤＭＡ（Frequency Division Multiple Access）、ＯＦＤＭＡ（Orthogonal Frequency Division Multiple Access）、ＯＦＤＭ−ＦＤＭＡ、ＯＦＤＭ−ＴＤＭＡ、ＯＦＤＭ−ＣＤＭＡのような多様な多重接続技法を使用することができる。アップリンク転送及びダウンリンク転送は互いに異なる時間を使用して転送されるＴＤＤ（Time Division Duplex）方式が使われることができ、または互いに異なる周波数を使用して転送されるＦＤＤ（Frequency Division Duplex）方式が使用できる。
【００２６】
本明細書の一実施形態は、ＧＳＭ（登録商標）、ＷＣＤＭＡ、ＨＳＰＡを経てＬＴＥ及びＬＴＥ−Ａ（LTE-advanced）に進化する非同期無線通信と、ＣＤＭＡ、ＣＤＭＡ−２０００及びＵＭＢに進化する同期式無線通信に適用できる。本明細書で提示する実施形態は、特定の無線通信分野に限定または制限されて解釈されてはならず、本明細書の技術的事象が適用できる全ての技術分野を含むことと解釈されるべきである。
【００２７】
図１は、本発明が適用される多数のコンポーネントキャリアを使用する無線通信システムの例を示す図である。
【００２８】
図１を参照すると、本発明が適用される無線通信システムは、次世代の通信システム、ＬＴＥ／ＬＴＥ−Ａシステムを一例に挙げる。
【００２９】
上記ＬＴＥ／ＬＴＥ−Ａシステムは、システム要求事項、即ち、高いデータ転送率を満たすための帯域幅（Bandwidth）を拡張するための方案であって、多数個の単位搬送波であるコンポーネントキャリア、またはコンポーネントキャリア（Component Carrier；または、‘ＣＣ’と称する）の使用を定義している。ここで、１つのＣＣは最大２０MHｚの帯域幅を有することができ、該当サービスによって２０MHｚ以内で資源割当が可能であるが、これはシステムを実現する過程に従う一実施形態であり、システムの構成によって、２０MHｚ以上の帯域幅を有するように設定することもできる。また、上記１つのコンポーネントキャリアを多数個まで縛って１つのシステム帯域として使用するキャリア集合体（carrier aggregation；以下、“ＣＡ”という）の使用を定義することができる。
【００３０】
図１に示すように、一例として、２０MHｚの最大帯域幅を有するコンポーネントキャリア５個を使用する場合、最大１００MHｚまで帯域幅を拡張してサービス品質をサポートすることができる。この際、各コンポーネントキャリアにより決定できる、即ち、割当可能な周波数帯域は、実際のＣＡのスケジューリングによって連続的（contiguous）であることも、不連続的（non-contiguous）であることもある。
【００３１】
即ち、本明細書では多数のコンポーネントキャリアを区別するためにＣＣとして表示し、ＣＣ０，ＣＣ１，．．．などのように指示することができる。しかしながら、このようなコンポーネントキャリアに含まれる数字がコンポーネントキャリアの手順または該当コンポーネントキャリアの周波数帯域の位置と一致するものではない。
【００３２】
図１を一例として、第１コンポーネントキャリア（ＣＣ１）１１０、第２コンポーネントキャリア（ＣＣ２）１２０、第３コンポーネントキャリア（ＣＣ３）１３０、第Ｎコンポーネントキャリア（ＣＣＮ）１４０から構成されており、各々のコンポーネントキャリアはスケジューラによってアップリンク（Uplink；ＵＬ）またはダウンリンク（Downlink；ＤＬ）が相異するように割り当てられることもでき、または同一なアップリンクとダウンリンクとが共に割り当てられて使われることもできる。
【００３３】
一方、無線通信環境では送信機で電波が伝播されて受信機で伝えられる間に伝播遅延（propagation delay）を経るようになる。したがって、送受信機とも正確に送信機で電波が伝播される時間を知っているとしても、受信機に信号が到着する時間は、送受信機間の距離、周辺電波環境などにより影響を受けるようになり、また受信機が移動する場合、時間によって変わるようになる。仮に、受信機が、送信機によって伝達される信号が受信される時点を正確に知らない場合、信号受信が失敗したり、受信しても歪曲された信号を受信するようになって、通信不能になったりする。
【００３４】
したがって、無線通信システムではダウンリンク／アップリンクに関わらず、情報信号を受信するために、ｅＮＢとＵＥとの間の同期（synchronization）が必ず先決されなければならない。即ち、同期の獲得手続きは通信システムで非常に重要な手続きであり、これを維持することもまたシステム安定性及び通信品質に大きい影響を及ぼすようになる。
【００３５】
一方、同期の種類は、フレーム同期、情報シンボル同期、サンプリング周期同期など多様であり、その中で、サンプリング周期同期の場合は、物理的信号を区分するために最も基本的に獲得しなければならない同期ということができる。
【００３６】
ｅＮＢからＵＥに転送する方向の通信リンクであるダウンリンク転送において、同期の獲得はＵＥからｅＮＢへの信号に基づいてなされる。ｅＮＢはＵＥでダウンリンク同期の獲得が容易であるように相互約束された特定信号を転送し、これに基づいてＵＥにはｅＮＢから送信された特定信号が転送された時間を正確に分別できなければならない。ダウンリンクの場合、１つのｅＮＢが多数のＵＥに同時に同一な同期信号を転送するので、ＵＥの各々が独立的に同期信号を通じて同期を獲得することができる。
【００３７】
しかしながら、アップリンクの場合、多数のＵＥから個別的に送信された各々の信号をｅＮＢが受信するようになるので、いずれか１つのＵＥを基準に同期を獲得することができない。したがって、ダウンリンクと異なる同期の獲得手続きが必要である。
【００３８】
したがって、各ＵＥとｅＮＢとの間の距離が相異する場合、互いに異なる転送遅延時間を有するようになり、各々獲得したダウンリンク同期を基準にアップリンク情報を送信する場合、各ＵＥの情報が互いに異なる時間に該当ｅＮＢで受信されるようになる。
【００３９】
即ち、無線通信システムで使用する転送方式が互いに異なる時間に各ＵＥのアップリンク情報が受信されても、これを分離して受信することができるＣＤＭＡのような方式を使用する場合には、複雑度は増加させるものの大きい問題無しで情報を受信することができる。一方で、ＯＦＤＭＡまたはＦＤＭＡを基盤とする無線通信システムでは、ｅＮＢで全てのＵＥのアップリンク送信情報を同時に受信して一度に復調する方式により運営されるので、正確な時間に受信されるほど受信性能が高まり、ｅＮＢで各ＵＥ信号の受信時間の差が大きくなるほど受信性能は急激に劣化する。
【００４０】
したがって、ＬＴＥのようなＯＦＤＭＡまたはＳＣ−ＦＤＭＡをアップリンク転送方式に使用している無線通信システムでは、ダウンリンクでの転送遅延時間とアップリンクでの転送遅延時間を獲得するために、ＵＥ毎にランダム接続方式などを用いてタイミングアライメント（Timing Alignment）値を計算し、これを各ＵＥに知らせてアップリンク同期を獲得しようとしている。
【００４１】
図２は、本発明が適用される同期化過程におけるＴＡ（Timing Advance）と関連した例を示す図である。
【００４２】
一般に、ｅＮＢと端末とが通信を実行するためには、ダウンリンクラジオフレームｉ２１０が送信される時点と一致するようにアップリンクラジオフレームｉ２２０を送信しなければならない。ところが、ユーザ端末とｅＮＢとの間には伝播遅延などにより時間差が発生する。
【００４３】
したがって、このような伝播遅延を考慮してダウンリンクラジオフレームｉ２１０より少し早くアップリンクラジオフレームｉ２２０を端末が送信することによりｅＮＢと端末と間の同期を合わせる方案として、タイミング補正（Timing Advance；ＴＡ）が適用できる。上記ＴＡを計算する数式は、次の通りである。
【００４４】
【数１】
2013520065.tif 000003
【００４５】
ここで、ＮＴＡはｅＮＢからＴＡ命令情報によって制御される可変的な値であり、ＮＴＡｏｆｆｓｅｔはフレーム構造によって固定されて設定される値である。一方、Ｔｓはサンプリング周期を意味する。図２から分かるように、アップリンク同期化をなすために、ユーザ端末はｅＮＢで提供するＴＡ命令情報を受信して、これを基盤にＴＡを進行することができる。したがって、ｅＮＢとの無線通信のための同期を獲得する。
【００４６】
図３は、本発明が適用されるユーザ端末とｅＮＢとの間のランダムアクセス過程を示す図である。
【００４７】
図３を参照すると、ユーザ端末３８０はｅＮＢ３９０とデータを送受信するためにアップリンク同期を必要とする。アップリンク同期のために、ｅＮＢ３９０から同期に必要とする情報を受信する過程を進行することができる。図３は、同期に必要な情報を受信するためのランダムアクセス過程（Random Access Procedure）を進行する過程を示す。ランダムアクセス過程は、ユーザ端末がネットワークにハンドオーバーなどを通じて新しく結合する場合にも適用することができ、ネットワークに結合した後、同期化または状態変更（RRC_IDLEでRRC_CONNECTED）のように多様な状況で進行することができる。
【００４８】
ユーザ端末３８０は、まずランダムアクセスプリアンブル（Random access preamble；ＲＡＰ）を生成するために、プリアンブルシグネチャ（preamble signature）をランダム（random）に選択する。そして、選択したプリアンブルをｅＮＢ３９０に送信する（Ｓ３１０）。プリアンブルシグネチャ選択時、競合ベース（contention-based）に進行することができる。一方、無競合ベース（contention-free）に進行する方式も使用することができるが、ｅＮＢは予め予約したランダムアクセスプリアンブルを端末に知らせてくれて、該当端末は受信された情報を基盤に選択したプリアンブルをｅＮＢ３９０に送信する（Ｓ３１０）。また、無競合ベース方式では、競合ベース方式で必要とするＣＲ（Contention Resolution）メッセージのような手続きは実行しなくてもよい。
【００４９】
ここで、上記ユーザ端末３８０は、プリアンブル選択またはＲＡＣＨ転送のために臨時に選択した周波数資源と転送時点を考慮してＲＡ−ＲＮＴＩ（RandomAccess-Radio Network Temporary Identifier）を認知することができる。
【００５０】
ｅＮＢ３９０は、受信されたＵＥのプリアンブルに対し、ランダムアクセス応答（Random access response；ＲＡＲ）を実行するが、この際、物理ダウンリンクデータチャンネル（Physical downlink shared channel；ＰＤＳＣＨ）を介して上記ランダムアクセス応答メッセージを送信する。
【００５１】
上記ＲＡＲメッセージを通じて送信する情報は、一例として、ｅＮＢにより受信されたＵＥプリアンブルの識別情報、ｅＮＢの識別子（ＩＤ）、臨時Ｃ−ＲＡＮＩ（Cell Radio Network Temporary Identifier）、上記ＵＥプリアンブルを受信したタイムスロットに対する情報、そして、ＴＡ情報などが含まれることができる。ここに、アップリンク同期化のためのタイミング情報が上記ＲＡＲメッセージを通じて受信されるので、ユーザ端末３８０はｅＮＢ３９０とのアップリンク同期化を実行することができる。ユーザ端末３８０は、ステップＳ３２０で受信したＴＡ情報を用いて決まったスケジュール時点でデータ転送（Scheduled transmission）を実行する（Ｓ３３０）。物理アップリンクデータチャンネル（Physical uplink shared channel；ＰＵＳＣＨ）を介して同期化させたデータを送信し、ＨＡＲＱ（Hybrid Automatic Repeat reQuest）を実行することもできる。
【００５２】
上記ステップＳ３３０で送信されるメッセージは、一例として、ＲＲＣ接続要請（RRC Connection Request）、トラッキング領域変更（Tracking Area update）、スケジューリング要請（Scheduling request）などを含むことができる。また、上記メッセージのうちの１つは、臨時Ｃ−ＲＮＴＩ、Ｃ−ＲＮＴＩ（if the UE already has one）、またはＵＥ識別子情報などを含むことができる。
【００５３】
一方、ステップＳ３１０〜Ｓ３３０の過程で衝突（collision）が発生することがあるので、ｅＮＢ３９０はＣＲメッセージを送信すれば（Ｓ３４０）、ＵＥ３８０は、i）ＵＥ３８０が受信したメッセージが自身のものであるかを確認してＡＣＫを送ったり、ii）受信したメッセージが他のＵＥのものであると確認して応答データを送らなかったりする。勿論、ダウンリンク割当を逃がしたり、メッセージをデコーディングできなかったりする場合にも、応答データを送らないようになる。また、上記ＣＲメッセージはＣ−ＲＮＴＩまたはＵＥ識別子情報などを含むことができる。
【００５４】
１つの搬送波を使用する場合のＴＡを獲得する過程とは異なり、本発明が適用される多数のコンポーネントキャリアを運営する無線システムでは、図１のように各コンポーネントキャリア間の中心周波数の位置が大きく離隔していたり、各コンポーネントキャリアをサポートする網内の装置が同一でなかったりするなどの場合、各コンポーネントキャリア間にＴＡの値は相異する可能性が高まる。
【００５５】
したがって、単一搬送波で使用していた同期の獲得方案をそのままに用いる場合、多数のコンポーネントキャリアの全てのコンポーネントキャリアに対するアップリンク同期の獲得は困難になる。したがって、ユーザ端末は使用可能コンポーネントキャリアのうち、アップリンク同期を獲得した一部のコンポーネントキャリアに限って、安定したアップリンク通信を実行するようになる。
【００５６】
また、仮にユーザ端末が、アップリンク同期基準が相異するコンポーネントキャリアに対して同一なアップリンク同期基準を通じて情報を転送する場合、転送誤りが発生する確率が非常に高く、これを復旧するための時間及び資源の浪費をもたらすことがある。このような場合、システムで求められるアプリケーションに対するアップリンクＱｏＳ（Quality of Service）を満たし難いことがある。
【００５７】
また、仮に無線通信システムにおける多数のコンポーネントキャリアを運用する場合、単一ＵＥに対して各コンポーネントキャリアの特性及び無線網内のサポート方式によってダウンリンクでの転送遅延時間が相異することがあり、これによって、各コンポーネントキャリアまたは同一なＴＡ値を有するコンポーネントキャリアを集合として構成する場合、各コンポーネントキャリア集合別のアップリンク同期の基準が相異するようになって、これによるアップリンク性能の劣化が発生することがある。
【００５８】
したがって、本発明は多数のコンポーネントキャリアを使用する無線通信システムにおけるコンポーネントキャリア毎において、または少なくとも１つ以上のコンポーネントキャリアから構成されたコンポーネントキャリアグループ間において、アップリンク同期の基準が相異する場合、ユーザ端末で各コンポーネントキャリアのタイプ、中心周波数位置、及び網サービス形態などによって、該当コンポーネントキャリアまたはコンポーネントキャリアグループのアップリンク同期を獲得する方案を提供しようとする。
【００５９】
以下、ユーザ端末はＵＥとし、基地局はｅＮＢとして記載して説明を進行する。
【００６０】
図４は、本明細書の一実施形態によるアップリンク同期を獲得する過程を示す図である。
【００６１】
図４ではｅＮＢがＵＥに多数のコンポーネントキャリアに関連した情報を送信すれば、ＵＥがコンポーネントキャリアのうち、タイミングと関連したグループを設定し、代表コンポーネントキャリアを通じてＲＡＰ（Random Access Procedure）を進行する過程を示す。
【００６２】
上記図４を参照すると、ＵＥ４８０とｅＮＢ４９０とが接続された状態（RRC_CONNECTED）の場合、ステップＳ４１０を進行する。仮に、無線資源制御接続状態がＩＤＬＥであるとか、再設定が必要な場合には、ステップＳ４０５を先に進行し、ステップＳ４１０を進行する。
【００６３】
ステップＳ４０５は、無線資源制御接続を進行するステップである。これは、ｅＮＢ４９０とＵＥ４８０とが無線資源制御接続状態がＩＤＬＥモードの場合、または無線資源制御接続を再設定しなければならない場合、ｅＮＢ４９０は該当ＵＥのコンポーネントキャリア集合を定義して転送することができない。したがって、無線資源制御接続を進行する少なくとも１つ以上のコンポーネントキャリアを選択してコンポーネントキャリア集合情報を構成して無線資源制御接続を進行する（Ｓ４０５）。無線資源制御接続を進行する少なくとも１つ以上のコンポーネントキャリアを選択するために、次のうちの１つの方法を用いることができる。
i）ＵＥ４８０が測定（measurement）した情報に基づいて無線資源制御接続を試みる最も適したコンポーネントキャリアを選択することができる。
ii）ＵＥ４８０の内部メモリに格納されているシステムで固定的に設定した情報を用いて無線資源制御接続を試みることができる。
iii）ｅＮＢ４９０でシステム情報を通じてＵＥ４８０に転送した情報を用いて無線資源制御接続を試みることができる。
iv）ＵＥ４８０の内部メモリに格納されている有効なコンポーネントキャリアのシステム情報を用いて該当コンポーネントキャリアを通じて無線資源制御接続を試みることができる。
【００６４】
一例として、ＩＤＬＥモードであるＵＥは、無線資源制御接続のために、上記の選択条件を基準に１つのダウンリンクコンポーネントキャリアを選択し、上記選択したコンポーネントキャリアを通じて転送される放送チャンネル（broadcasting channel）を介してシステム情報を受信する。上記受信したシステム情報を基盤に上記選択したダウンリンクコンポーネントキャリアと上記ダウンリンクコンポーネントキャリアと接続設定されているアップリンクコンポーネントキャリアを主サービングセル（primary serving cell；以下、ＰＣｅｌｌ）として構成する。上記構成されたＰＣｅｌｌを通じてＵＥはｅＮＢに無線資源制御接続要求メッセージを転送する。この際、ＵＥは上記ＲＡＣＨ手続きを用いて上記無線資源制御接続要求メッセージをｅＮＢに伝達することができる。
【００６５】
ここで、主サービングセルに対応するダウンリンクコンポーネントキャリアをダウンリンク主コンポーネントキャリア（ＤＬ ＰＣＣ）とし、主サービングセルに対応するアップリンクコンポーネントキャリアをアップリンク主コンポーネントキャリア（ＵＬ ＰＣＣ）とする。また、ダウンリンクにおいて、副サービングセル９２０に対応するコンポーネントキャリアをダウンリンク副コンポーネントキャリア（ＤＬ ＳＣＣ）とし、アップリンクにおいて、副サービングセルに対応するコンポーネントキャリアをアップリンク副コンポーネントキャリア（ＵＬ ＳＣＣ）とする。
【００６６】
一方、主サービングセルと副サービングセルは、次のような特徴を有する。
【００６７】
第１に、主サービングセルはＰＵＣＣＨの転送のために使われる。
【００６８】
第２に、主サービングセルは常に活性化されている反面、副サービングセル９２０は特定条件によって活性化／非活性化する搬送波である。
【００６９】
第３に、主サービングセルが無線リンク失敗（Radio Link Failure；以下、ＲＬＦ）を経験する時、ＲＲＣ再接続がトリガリング（triggering）されるが、副サービングセル９２０がＲＬＦを経験する時はＲＲＣ再接続がトリガリングされない。
【００７０】
第４に、主サービングセルはセキュリティキー（security key）変更やＲＡＣＨ（Random Access CHannel）手続きに伴うハンドオーバー手続きによって変更できる。但し、ＭＳＧ４（contention resolution）の場合、ＭＳＧ４を指示するダウンリンク制御チャンネル（Physical Downlink Control Channel；以下、‘ＰＤＣＣＨ’と称する）のみ主サービングセルを通じて転送されなければならず、ＭＳＧ４情報は主サービングセルまたは副サービングセルを通じて転送できる。
【００７１】
第５に、ＮＡＳ（non-access stratum）情報は主サービングセルを通じて受信する。
【００７２】
第６に、いつも主サービングセルはＤＬ ＰＣＣとＵＬ ＰＣＣがペア（pair）で構成される。
【００７３】
第７に、各端末毎に異なるＣＣを主サービングセルに設定することができる。
【００７４】
第８に、副サービングセルの再設定（reconfiguration）、追加（adding）、及び除去（removal）のような手続きは、ＲＲＣ階層により実行できる。新規の副サービングセルの追加において、専用（dedicated）副サービングセルのシステム情報を転送することにＲＲＣシグナリングが使われることができる。
【００７５】
主サービングセルと副サービングセルの特徴に関する本発明の技術的事象は必ず上記の説明に限定されるものではなく、これは例示であり、より多くの例を含むことができる。
【００７６】
前述した方法のうちの１つを通じて、無線資源制御接続進行が完了してｅＮＢ４９０とＵＥとの無線資源制御接続状態が設定された状態（RRC_CONNECTEDモード）になれば、Ｓ４１０の手続きを進行する。
【００７７】
ｅＮＢ４９０は、該当ＵＥ４８０のハードウェア性能、ｅＮＢ４９０の使用可能な周波数資源などを考慮してＵＥ４８０に多数のコンポーネントキャリア（ＣＣ）を使用するように許容することができ、これを集合として定義することができる。ｅＮＢ４９０は、ＵＥ４８０の使用するように許容されたコンポーネントキャリア集合情報をＵＥ４８０に転送する（Ｓ４１０）。
【００７８】
前述したように、ＵＥ４８０とｅＮＢ４９０は、ステップＳ４０５または以前からRRC_CONNECTEDを維持している状態、即ちＵＥ４８０の無線資源制御接続が設定されたアップリンクコンポーネントキャリアのアップリンク同期が維持されている場合である。ＵＥ４８０は、ｅＮＢ４９０から上記のような基準に決まったコンポーネントキャリア集合情報を受信する。
【００７９】
上記コンポーネントキャリア集合情報の送受信方式は、一実施形態としてｅＮＢ４９０が無線資源制御再構成メッセージの内に上記コンポーネントキャリア集合情報を含んでＵＥ４８０に送信することもでき、その以外のメッセージが使われることもできる。
【００８０】
また、上記コンポーネントキャリア集合情報は、各コンポーネントキャリアの追加／除去のような形態に構成されて転送されることもできる。例えば、最初のコンポーネントキャリア集合情報を転送するに当たって、ＤＬ ＣＣ１、ＤＬ ＣＣ２、ＤＬ ＣＣＮから構成されたコンポーネントキャリア集合情報は、ダウンリンクコンポーネントキャリアの追加リストに構成されることができ、上記リストにはＣＣ１、ＣＣ２、ＣＣＮが含まれることができる。同様に、アップリンクコンポーネントキャリア集合情報もアップリンクコンポーネントキャリア追加リストに構成されることができる。
【００８１】
更に他の実施形態として、コンポーネントキャリア集合情報を変更するに当たって、上記構成されたダウンリンクコンポーネントキャリア集合がＣＣ１、ＣＣ３、ＣＣＮに変更される場合、ダウンリンクコンポーネントキャリア除去リストにＣＣ２を構成し、ダウンリンクコンポーネントキャリア追加リストにＣＣ３を構成して、上記ダウンリンクコンポーネントキャリア集合情報を転送することができる。
【００８２】
ＵＥ４８０は、受信されたコンポーネントキャリア集合情報に基づいて集合内のコンポーネントキャリアに対するシステム情報（system information；以下、ＳＩ）を受信する（Ｓ４２０）。
【００８３】
仮に、コンポーネントキャリア集合内に、コンポーネントキャリアのうち、該当コンポーネントキャリアのシステム情報を該当コンポーネントキャリアに転送できないコンポーネントキャリア（例えば、拡張コンポーネントキャリア（extension component carrier；以下、ＥＣＣ）または放送チャンネルを介して転送されるシステム情報を受信できないコンポーネントキャリア（例えば、副サービングセル（Secondary serving cell；以下、ＳＣｅｌｌ）に属するダウンリンクコンポーネントキャリア）が存在する場合、システム情報を受信することができるコンポーネントキャリア、または制御情報の形態に変換されたシステム情報を受信することができるコンポーネントキャリアを通じて受信することができる。
【００８４】
上記変換されたシステム情報は、ｅＮＢで転送する無線資源制御再構成メッセージの内に上記コンポーネントキャリア集合情報と同時にＵＥに転送されることもでき、上記コンポーネントキャリア集合情報が受信された以後、無線資源制御再構成メッセージを通じてＵＥに転送されることもできる。この方法の以外に、現段階では該当コンポーネントキャリアに対するシステム情報を受信しないで進行することができる。
【００８５】
ＵＥ４８０は、受信されたシステム情報を基盤にコンポーネントキャリア集合内のコンポーネントキャリアを元素にするアップリンクタイミンググループ（Uplink timing group；UL timing group）を設定する（Ｓ４３２）。上記アップリンクタイミンググループを構成する過程で考慮すべき事項は、次の通りである。
【００８６】
まず、多数のコンポーネントキャリアのうち、互いに異なるグループに割り当てるかを判断する方式には、次のような条件が考慮できる。即ち、次の少なくとも１つ以上の条件を満たすコンポーネントキャリアは、グループ設定時、異なるグループに設定することができる。
ａ−i）コンポーネントキャリアの中心周波数値の差がしきい値以上の範囲のコンポーネントキャリアは互いに異なるグループに割り当てる。これは、中心周波数が大きく差が生じる場合、無線信号の伝播過程で発生する遅延が変わり、これに従うＴＡ値も差が大きくなる可能性が高まる。
ａ−ii）互いに異なるビームフォーミング（beam forming）になるコンポーネントキャリア同士間にも互いに異なるグループに割り当てる。これは、ビームフォーミングが異なれば、ＴＡ値が変わる可能性が高まる。
ａ−iii）アップリンク同期更新要請がある度に更新するように設定されたコンポーネントキャリアも互いに異なるグループに割り当てる。上記の設定はｅＮＢ４９０により設定されたシステム情報の内に含まれて転送されることもでき、その以外のメッセージ内に含まれて転送されることもできる。
ａ−iv）マクロセル（Macro cell）でサービスしないコンポーネントキャリアであるとか、フェムトセル（femto cell）、ピコセル（pico cell）、マイクロセル（micro cell）、リレー（relay）、リピーター（repeater）などによりマクロセルと重畳した空間でサービスされるコンポーネントキャリアとマクロセルによりサービスされるコンポーネントキャリアとの間にもその特性が相異するので、互いに異なるグループに設定することができる。
ａ−v）ｅＮＢ４９０からアップリンク同期更新要請があるコンポーネントキャリアも同期が変化されたコンポーネントキャリアであるので、異なるグループに割り当てることができる。
【００８７】
前述したように、アップリンクタイミンググループに設定する条件は、前述したａ−i）〜ａ−v）が一実施形態となることができるが、その他にも無線の伝播特性と所定の測定値などを考慮して１つのグループに設定したり、または相異するグループに設定したりすることができる。
一方、以下の条件を満たす場合は、１つのグループに設定することができる。
ｂ−i）コンポーネントキャリアの中心周波数値の差がしきい値以の内範囲のコンポーネントキャリアの間には伝播特性が類似することがあるので、１つのグループにすることができる。
ｂ−ii）同一なビームフォーミングとなるコンポーネントキャリア同士間に１つのグループにすることができる。
ｂ−iii）同一な無線網内の装置で使われるコンポーネントキャリア同士間に１つのグループに設定することができる。
ｂ−iv）また、上記相異するグループに属するようにする条件（ａ−i〜ａ−v）を満たさないコンポーネントキャリアを１つのグループに生成することができる。
【００８８】
ＵＥ４８０でグループを生成する方式には２つ方式、即ち相異するグループに属するコンポーネントキャリアを区別してグループを生成する方式と、同一なグループに属するようにコンポーネントキャリアを区別してグループを生成する方式とに分けられ、上記２つ方式を混用することができ、いずれか１つの方式により進行することができる。各々の方式を適用する過程で判断すべき条件は、前述した通りである。
【００８９】
アップリンクタイミンググループが生成されれば、ＵＥ４８０は各グループ内の代表コンポーネントキャリア（delegate CC）を設定する（Ｓ４３４）。この際、代表コンポーネントキャリアを設定する基準は、アップリンク同期の獲得のためのＴＡ値を獲得可能なコンポーネントキャリアのうちの次の条件を考慮して設定することができる。
ｃ−i）最も低い中心周波数値を有するコンポーネントキャリア、
ｃ−ii）最も平均に近い中心周波数値を有するコンポーネントキャリア、
ｃ−iii）最も高い中心周波数値を有するコンポーネントキャリア、
ｃ−iv）周波数帯域が最も広いコンポーネントキャリア、
ｃ−v）ダウンリンク品質をモニターリングするために設定されたコンポーネントキャリア、
のうち、１つを代表コンポーネントキャリアとして設定することができる。
【００９０】
ここで、ＣＣは、ＤＬ ＣＣ、またはＤＬ ＣＣとＵＬ ＣＣが全て含まれた概念として定義されることができ、セル（Cell、またはServing Cell）と定義することができる。言い換えると、セルは一定の地域に端末が認知することができる無線信号が到達することができるＤＬ周波数資源（例えば、コンポーネントキャリア）だけでも定義されることができ、上記ＤＬ周波数資源と上記ＤＬ周波数を通じてｅＮＢから信号を受信することができるＵＥがｅＮＢに転送可能なＵＬ周波数資源のペア（pair）として定義されることができる。
【００９１】
したがって、多数のコンポーネントキャリアを構成することができるＵＥに限り、ｅＮＢは現在無線通信接続を通じてデータをＵＥとやりとりするために、多数のサービングセルを構成することができる。
【００９２】
この際、主サービングセルはＲＲＣ接続（establishment）または再接続（re-establishment）状態で、セキュリティ入力（securityinput）とＮＡＳ移動情報（mobility information）を提供する１つのサービングセルを意味する。また、ＵＥの性能（capabilities）によって、少なくとも１つのセルが主サービングセルと共にサービングセルの集合を形成するように構成できるが、上記少なくとも１つのセルを副サービングセルという。
【００９３】
したがって、１つのＵＥに対して設定されたサービングセルの集合は１つの主サービングセルだけで構成されたり、または１つの主サービングセルと少なくとも１つの副サービングセルで構成されたりできる。主サービングセルの周波数内の隣接セル及び／または副サービングセルの周波数内の隣接セル、各々は同一な搬送波周波数に属することができ、主サービングセルと副サービングセルの周波数間の隣接セルは相異する搬送波周波数に属することができる。
【００９４】
一方、ここで、上記ダウンリンク品質をモニターリングするために設定されたコンポーネントキャリアは、無線リンクモニターリング（Radio Link Monitoring；以下、ＲＬＭ）が定義された副サービングセルを含むことを特徴とする。特に、ＲＬＭとは、ＵＥがcell-specific reference（ＣＲＳ）信号に基づいてｅＮＢ間に設定されたサービングセルのダウンリンク品質を探知するためにダウンリンクの品質をモニターリングすることを含む。
【００９５】
この際、ＵＥは測定されたＣＲＳと制御チャンネルのエネルギーの比により定義される予め定まったパラメータを用いて上記ダウンリンク品質を予測する。
【００９６】
一方、上記ＲＬＭは次のような条件に設定できる。上記ＲＬＭを通じてダウンリンク品質を予測するために、ＰＤＣＣＨ／ＰＣＦＩＣＨ（physical control format indicator channel）が転送されるＲＥ（resource element 単一ＯＦＤＭシンボル内の単一副搬送波）の受信エネルギーと上記ＣＲＳの平均ＲＥエネルギーの比をｄＢ単位で表現した値を基準とする。
【００９７】
上記予め定まったパラメータのうち、同期不一致（out-of-sync）を宣言する基準となるパラメータであるＱｏｕｔ値はＰＤＣＣＨ／ＰＣＦＩＣＨを転送するために設定されたパラメータと共にＰＣＦＩＣＨの誤りを考慮した仮想のＰＤＣＣＨ（DCI format 1A基盤）転送のＢＥＲ（block error rate）が１０％以上であると判断される値を基準に設定される。上記の値はＣＲＳが転送されるアンテナポートの個数によって他の値を有することができる。
【００９８】
例えば、単一アンテナポートに限ってＣＲＳが転送される場合、Ｑｏｕｔ値に設定する上記ＰＤＣＣＨとＣＲＳとの間のエネルギーの比率は４ｄＢを基準とし、２つ以上のアンテナポートに対してＣＲＳが転送される場合、１ｄＢを基準とする。上記予め定まったパラメータのうち、同期回復または同期維持（in-sync）を宣言する基準となるパラメータであるＱｉｎ値は上記Ｑｏｕｔの場合に比べて十分に大きい信頼性を有する値を基準に設定される。
【００９９】
即ち、ＰＤＣＣＨ／ＰＣＦＩＣＨを転送するために設定されたパラメータと共にＰＣＦＩＣＨの誤りを考慮した仮想のＰＤＣＣＨ（DCI format 1C基盤）転送のＢＥＲ（block error rate）が２％以上であると判断される値を基準に設定される。上記の値はＣＲＳが転送されるアンテナポートの個数によって他の値を有することができる。
【０１００】
例えば、単一アンテナポートに限ってＣＲＳが転送される場合、Ｑｉｎ値に設定する上記ＰＤＣＣＨとＣＲＳとの間のエネルギーの比率は０ｄＢを基準とし、２つ以上のアンテナポートに対してＣＲＳが転送される場合、−３ｄＢを基準とする。
【０１０１】
上記の例において、Ｑｏｕｔ値に比べてＱｉｎ値の基準となるエネルギー比率の値がむしろ低い理由は、前述したＰＤＣＣＨ／ＰＣＦＩＣＨを転送するために設定されたパラメータと仮想のＰＤＣＣＨ転送のＢＥＲを基準とするためである。上記ＰＤＣＣＨ／ＰＣＦＩＣＨを転送するために設定されたパラメータは、ＰＤＣＣＨのＤＣＩフォーマット、サブフレーム内の制御情報が転送されるＯＦＤＭシンボルの個数、ＰＤＣＣＨの自己複製比率を表す集成水準（aggregation level）などが含まれる。上記パラメータはダウンリンク帯域幅に影響を受ける。また、Ｑｏｕｔ及びＱｉｎ値は該当セルに対する端末機のＤＲＸ（discountinous reception）が動作するか否かによって影響を受ける。
【０１０２】
したがって、ＵＥまたはｅＮＢは、各グループ内の代表コンポーネントキャリア（delegate CC）を設定し、上記代表コンポーネントキャリアの設定は、上記代表コンポーネントキャリアが含まれている副サービングセルを設定する形態であることもある。この際、代表コンポーネントキャリアまたは副サービングセルを設定する基準は、アップリンク同期の獲得のためのＴＡ値を獲得可能なコンポーネントキャリアのうち、上記ｃ−i）〜ｃ−v）条件を考慮して設定することができる。即ち、Ｓ４３４で説明したｃ−i）〜ｃ−v）のうちの１つを代表コンポーネントキャリアに設定することができる。
【０１０３】
この際、各々のアップリンクタイミンググループ別の代表コンポーネントキャリアを設定する方法は、全てのグループに対して同一な基準に設定することができ、または各タイミンググループ別に区別される条件のみ満たす異なる基準を設定することができる。即ち、代表コンポーネントキャリアの選択は、各グループのネットワーク状態、グループを構成するコンポーネントキャリアの特徴などを考慮して選択することができる。
【０１０４】
ステップＳ４３２、Ｓ４３４を完了してアップリンクタイミンググループと該当グループの代表コンポーネントキャリアを設定した後、ＵＥ４８０はアップリンク同期の獲得のために、各グループ内の代表コンポーネントキャリアを通じて、即ち、必要時、各々プリアンブル（random access preamble）を設定し、各コンポーネントキャリアのＳＩに定義された資源のうちの１つを選択して設定したプリアンブルを転送する（Ｓ４４０）。上記プリアンブルはユーザ端末が同期化を要請する同期化要請メッセージに含まれることができる。該当プリアンブルの転送はｅＮＢ４９０により設定された時間／周波数資源でＵＥ４８０が順次に、または同時に、またはランダムにプリアンブルを選択されたＣＣを通じて転送することを含むことができる。
【０１０５】
一方、アップリンク同期の獲得が必要な状況は、次の通りである。または、次の状況でなくても、ＵＥ４８０で要否を判断してランダムアクセスプリアンブルを生成してｅＮＢ４９０に送信することができる。
ｄ−i）ｅＮＢ４９０がダウンリンク同期に対する全体再設定を要求する場合、
ｄ−ii）全てのアップリンクデータの転送を初期化して再試図する場合、
ｄ−iii）ＵＥ４８０タイムアライメントタイマー（Time Alignment timer）が満了した場合、
【０１０６】
ＵＥ４８０は、使用可能な全体コンポーネントキャリアグループに対してアップリンク同期の獲得のためのプリアンブルを送信することができる。
【０１０７】
また、ＵＥ４８０は使用可能な一部のコンポーネントキャリアグループに対してアップリンク同期の獲得を必要とすることができる。このような条件は、以下の通りである。
ｅ−i）コンポーネントキャリアグループが最初に設定されて該当グループ内にＴＡ値が存在しない場合、
ｅ−ii）ＵＥ４８０のグループ内のコンポーネントキャリアを通じたアップリンク転送データに対する応答が全てない場合、
ｅ−iii）ｅＮＢ４９０とＵＥ４８０との間のＲＲＣ接続を再構成（re-configuration）した場合、
ｅ−iv）ＵＥ４８０が物理的に異なるｅＮＢ４９０に特定コンポーネントキャリアグループがハンドオーバーする場合、
ｅ−v）ｅＮＢ４９０がダウンリンク同期に対する特定コンポーネントキャリアグループに対して再設定を要求する場合、
ｅ−vi）コンポーネントキャリアＴＡタイマー（CC Time Alignment timer）が満了した場合（上記タイマーは各コンポーネントキャリアまたはグループ毎に設定可能なタイマーである）には、該当コンポーネントキャリアが含まれたコンポーネントキャリアのグループに対してアップリンク同期の獲得を進行することができる。
【０１０８】
一例として、上記ステップＳ４３２、Ｓ４３４で、コンポーネントキャリアＣＣ１、ＣＣ２、ＣＣ３、ＣＣ４、ＣＣ５があり、ＣＣ１、ＣＣ２はグループ１、ＣＣ３、ＣＣ４、ＣＣ５はグループ２に設定され、グループ１の代表コンポーネントキャリアがＣＣ１であり、グループ２の代表コンポーネントキャリアがＣＣ３の場合、ＵＥ４８０で使用可能な全体コンポーネントキャリアグループに対してアップリンク同期が必要な場合、ＣＣ１とＣＣ３を通じてランダムアクセスプリアンブルを送信することができる。一方、一部のコンポーネントキャリアグループで同期の獲得が必要な状況で、グループ２に対して同期の獲得が必要な場合、ＣＣ３を通じてランダムアクセスプリアンブルを送信することができる。
【０１０９】
また、仮にアップリンクを通じてデータ送信中の状況で、アップリンク同期を再設定しなければならない場合には、ＵＥ４８０は次のような動作（例えば、アップリンクデータ転送初期化）を優先的に実行した後、アップリンク同期を確保するための手続きとして、ＨＡＲＱバッファー初期化、ＰＵＣＣＨ（Physical Uplink Control Channel）／ＳＲＳ（Sounding Reference Signal）解除、ＳＰＳ（Semi-Persistent Scheduling）割当／許容初期化などを進行することができる。
【０１１０】
ｅＮＢ４９０は、受信されたランダムアクセスプリアンブル信号を基盤に各コンポーネントキャリアグループ（代表コンポーネントキャリア）に対してグループ別のＴＡ値を計算する。そして、ｅＮＢ４９０はＵＥ４８０のアップリンク割当（UL grant）情報とアップリンクタイミンググループ（代表コンポーネントキャリア）のＴＡ値をランダムアクセス応答メッセージを通じてＵＥ４８０に転送する（Ｓ４５０）。上記ＴＡ値はユーザ端末のアップリンク転送時間の調節に必要とするアップリンク同期化情報の一実施形態となる。
【０１１１】
その後、ＵＥ４８０はＣＲ手続き（Ｓ４６０）を通じて受信したＴＡ値が有効であると判断されれば、該当ＴＡ値をグループ内の他のコンポーネントキャリアに適用してアップデートする（Ｓ４７０）。
【０１１２】
前述したように、全体グループに対してアップリンク同期の獲得手続きを進行した場合、ＣＣ１、ＣＣ３に対するＴＡ値をグループ１、２に含まれたコンポーネントキャリアに適用することができる。仮に、グループ２に対してＣＣ３のＴＡ値を受信した場合、グループ２に含まれたコンポーネントキャリアに適用することができる。
【０１１３】
図５は、本明細書の他の実施形態によるアップリンク同期の獲得手続きを示す図である。ここで、図５はｅＮＢであるｅＮＢ５９０でアップリンクタイミンググループを設定する場合を示している。
【０１１４】
図５を参照すると、ｅＮＢ５９０がアップリンクタイミング情報を送信する前に、ｅＮＢ５９０はＵＥのモード（RRC_CONNECTED/RRC_IDLE）を確認する。ＵＥと接続されていない場合、無線資源制御接続を進行することができ（Ｓ５０５）、無線資源制御接続のためにＰＣｅｌｌを利用することができ、これは図４のステップＳ４０５と同一に適用できる。
【０１１５】
また、ｅＮＢ５９０でグループを生成する方式は、図４に言及したａ−i）〜ａ−v）またはｂ−i）〜ｂ−iv）条件を参照することができる。
【０１１６】
したがって、ｅＮＢ５９０は該当ＵＥ５８０のコンポーネントキャリア集合情報と上記設定したアップリンクタイミンググループ情報とをＵＥ５８０に転送する（Ｓ５１０）。ここで、上記アップリンクタイミンググループ情報は、上記コンポーネントキャリア集合情報（CC set info.）メッセージに含まれてＵＥ５８０に転送されることもでき、それと別個に独立的に設定されたメッセージを用いて転送されることもできる。別個に設定されたメッセージの場合に対しては、図６を参照して説明する。一方、ＵＥ別に提供されるコンポーネントキャリア集合情報転送メッセージ（CC set information message）は、ＲＲＣ（Ｌ３）メッセージ、Ｌ１シグナリング、またはＬ２シグナリングであることもある。
【０１１７】
ＵＥ５８０は、受信されたコンポーネントキャリア集合情報に基づいて集合内のコンポーネントキャリアのシステム情報（system information；以下、ＳＩ）を受信する（Ｓ５２０）。この際、ＵＥ５８０はｅＮＢ５９０によりステップＳ５０８で生成されたアップリンクタイミンググループをそのまま利用したり、あるいは現在のネットワーク状況に合せて図４のＳ４３２のようにアップリンクタイミンググループの一部を修正したりすることができる。これは、ＵＥ５８０がｅＮＢ５９０により生成されたグループが実際のＵＥ５８０の環境に適しない場合に、上記アップリンクタイミンググループを追加修正できることを含む。
【０１１８】
即ち、アップリンクタイミンググループ情報を受信した後、あるいはアップリンクタイミンググループ情報を変更したり、新しく生成したりした後、ＵＥ５８０は、各々のアップリンクタイミンググループに対して代表コンポーネントキャリアを選択する（Ｓ５３４）。アップリンクタイミンググループに対する代表コンポーネントキャリアの選択時、考慮すべき条件は、図４のＳ４３４で説明した通りである。
【０１１９】
Ｓ５３４で、アップリンクタイミンググループ別に代表コンポーネントキャリアを選択する過程が完了した後、アップリンク同期の獲得が必要な状況が発生するようになれば、各グループ内の代表コンポーネントキャリアは、必要時、各々ランダムアクセスプリアンブル（random access preamble）を設定し、各コンポーネントキャリアのＳＩに定義された資源のうちの１つを選択して、選択したプリアンブルを転送する（Ｓ５４０）。上記プリアンブルはユーザ端末が同期化を要請する同期化要請メッセージに含まれることができる。
【０１２０】
ここで、ＵＥ５８０はアップリンクタイミング情報を得るためのランダムアクセスプリアンブルを送信するメッセージ（Random access preamble transmit message）などを送ることができる。また、該当プリアンブルを転送する方法はｅＮＢ５９０により設定された時間／周波数資源でＵＥ５８０により順次に、または同時に、またはランダムに選択されて転送できる。
【０１２１】
一方、ＵＥ５８０によりアップリンク同期の獲得が必要な状況は、ｄ−i）〜ｄ−iii）条件を参照することができる。また、ＵＥ５８０は使用可能な全体コンポーネントキャリアグループに対してアップリンク同期の獲得のためにプリアンブルを送信することができる。一方、ＵＥ５８０は使用可能な一部のコンポーネントキャリアグループに対してアップリンク同期の獲得を必要とすることができる。
【０１２２】
ｅＮＢ５９０は、受信されたランダムアクセスプリアンブル信号を基盤に各コンポーネントキャリアグループ（代表コンポーネントキャリア）毎にグループ別のＴＡ値を計算し、該当ＴＡ値をアップリンク割当（UL grant）情報と共にランダムアクセス応答情報に含めてＵＥ５８０に転送する（Ｓ５５０）。上記ＴＡ値は、ユーザ端末のアップリンク転送時間の調節に必要とするアップリンク同期化情報の一実施形態となる。
【０１２３】
一実施形態として、ｅＮＢ５９０はステップＳ５０８で設定したアップリンクタイミンググループを考慮してＴＡ値を計算して転送することができる。また、特定コンポーネントキャリアを通じて上記ランダムアクセス応答メッセージを送信することができ、該当アップリンクタイミンググループ内の全てのコンポーネントキャリアを通じてランダムアクセス応答メッセージを送信することができる。
【０１２４】
ＵＥ５８０は、ＣＲ手続き（Ｓ５６０）を通じて受信したＴＡ値が有効であると判断されれば、該当ＴＡ値をグループ内の他のコンポーネントキャリアに適用してアップリンクタイミンググループ別のＴＡをアップデートする（Ｓ５７０）。
【０１２５】
図６は、本発明の更に他の実施形態によるアップリンク同期の獲得手続きを示す図である。ここで、図６はｅＮＢ６９０でアップリンクタイミンググループを設定し、グループ情報を別途のメッセージを用いて送信する場合を示している。
【０１２６】
図６を参照すると、ｅＮＢ６９０はＵＥ６８０のモード（RRC_CONNECTED/RRC_IDLE）を確認する。ＵＥ６８０と接続されていない場合、無線資源制御接続を進行することができ（Ｓ６０５）、無線資源制御接続のためにＰＣｅｌｌを利用することができ、これは図４のステップＳ４０５、図５のステップＳ５０５と同一である。
【０１２７】
ｅＮＢ６９０は、該当ＵＥ６８０のハードウェア性能、ｅＮＢ６９０の使用可能な周波数資源などを考慮してＵＥ６８０に多数のコンポーネントキャリア（ＣＣ）を使用するように許容することができ、これを集合として定義することができる。ｅＮＢ６９０は、該当ＵＥ６８０のコンポーネントキャリア集合情報をＵＥ６８０に転送する（Ｓ６１０）。ＵＥ別に提供されるコンポーネントキャリア集合情報転送メッセージ（CC set information message）は、ＲＲＣ（Ｌ３）メッセージなどで使われるメッセージ、またはＬ１シグナリング、またはＬ２シグナリングであることもある。
【０１２８】
前述したように、ＵＥ６８０とｅＮＢ６９０とは、ステップＳ６０５または以前からRRC_CONNECTEDを維持している状態、即ちＵＥ６８０の無線資源制御接続が設定されたアップリンクコンポーネントキャリアのアップリンク同期が維持されている場合である。ＵＥ６８０は、ｅＮＢ６９０から上記のような基準に決まったコンポーネントキャリア集合情報を受信する。コンポーネントキャリア集合情報の受信方式の一実施形態に、ｅＮＢ６９０は無線資源制御再構成メッセージ内にコンポーネントキャリア集合情報を含んで送信することもでき、その以外のメッセージになることもできる。
【０１２９】
ＵＥ６８０は、受信されたコンポーネントキャリア集合情報に基づいて集合内のコンポーネントキャリアのシステム情報（system information；以下、ＳＩ）を受信する（Ｓ６２０）。
【０１３０】
ｅＮＢ６９０は、ＵＥ５８０に割り当てられたコンポーネントキャリアに対してアップリンクタイミンググループを生成する（Ｓ６２４）。上記ｅＮＢ６９０でアップリンクタイミンググループを設定する過程は、前述したａ−i）〜ａ−v）またはｂ−i）〜ｂ−iv）条件を考慮して互いに異なるグループに、または同一なグループに設定することができる。
【０１３１】
ｅＮＢ６９０は、グループを生成する２つ方式、即ち、相異するグループに属するコンポーネントキャリアを区別してグループを生成する方式と、同一なグループに属するようにコンポーネントキャリアを区別してグループを生成する方式を混在して用いることができ、いずれか１つの方式により進行することができる。各々の方式を適用する過程で判断すべき条件は、前述した通りである。
【０１３２】
ｅＮＢ６９０は、設定したアップリンクタイミンググループ情報をＵＥ６８０に転送する（Ｓ６２６）。上記アップリンクタイミンググループ情報は、コンポーネントキャリア集合情報（CC set info.）メッセージなどに含まれず、別個に独立的に設定されたメッセージを用いて送信される。上記アップリンクタイミンググループ情報は、ＰＤＣＣＨチャンネル、ＲＲＣシグナリング、ブロードキャストチャンネルなどのチャンネルを介して転送され、Ｌ２（ＭＡＣエレメントコントロール）メッセージを通じて転送できる。
【０１３３】
上記コンポーネントキャリア集合情報メッセージを受信したＵＥ６８０は、受信したアップリンクタイミンググループをそのまま利用したり、現在のネットワーク状況に合せてアップリンクタイミンググループを一部修正したりすることができる。これは、ｅＮＢ６９０で生成したグループが実際のＵＥ６８０の環境に適しない場合、ＵＥ６８０が修正を行うことができる場合を含む。アップリンクタイミンググループ情報を受信した後、あるいはアップリンクタイミンググループ情報を変更したり新しく生成したりした後、ＵＥ６８０は各々のアップリンクタイミンググループに対して代表コンポーネントキャリアを選択する（Ｓ６３４）。上記アップリンクタイミンググループに対する代表コンポーネントキャリアの選択時、考慮すべき条件は、図４のＳ４３４、図５のＳ５３４で説明した通りである。
【０１３４】
Ｓ６３４で、アップリンクタイミンググループ別に代表コンポーネントキャリアを選択する過程が完了した後、アップリンク同期の獲得が必要な状況が発生するようになれば、各グループ内の代表コンポーネントキャリアは、必要時、各々プリアンブル（random access preamble）を設定し、各コンポーネントキャリアのＳＩに定義されたランダム接続のために割り当てられた資源のうちの１つを選択して該当プリアンブルを転送する（Ｓ６４０）。該当プリアンブルを転送する方法は、ｅＮＢ６９０により設定された時間／周波数資源でＵＥ６８０により順次に、または同時に、またはランダムに選択されて転送できる。上記プリアンブルはユーザ端末が同期化を要請する同期化要請メッセージに含まれることができる。
【０１３５】
ｅＮＢ６９０は、受信されたランダムアクセスプリアンブル信号を基盤に各コンポーネントキャリア（代表コンポーネントキャリア）毎にＴＡ値を計算し、該当値をアップリンク割当（UL grant）情報と共にランダムアクセス応答情報に含めてＵＥ６８０に転送する（Ｓ６５０）。一実施形態として、ｅＮＢ６９０がステップＳ６２４で設定したアップリンクタイミンググループを考慮してＴＡ値を計算して予め転送することができる。一方、ｅＮＢ６９０は特定コンポーネントキャリアを通じてランダムアクセス応答メッセージを送信することができ、該当アップリンクタイミンググループ内の全てのコンポーネントキャリアを通じてランダムアクセス応答メッセージを送信することができる。上記ＴＡ値は、ユーザ端末のアップリンク転送時間の調節に必要とするアップリンク同期化情報の一実施形態となる。
【０１３６】
ＵＥ６８０は、ＣＲ手続き（Ｓ６６０）を通じて受信したＴＡ値が有効であると判断されれば、該当アップリンクタイミンググループ別のＴＡ値を該当グループ内の他のコンポーネントキャリアに適用してアップデートを実行する（Ｓ６７０）。
【０１３７】
図６で説明したように、ＵＥ６８０はｅＮＢ６９０から設定されたアップリンクタイミンググループを受信し、該当グループの代表値を通じてランダムアクセス手続きを実行する。その後、ランダムアクセス手続きに従うプリアンブルに対応して上記タイミンググループのＴＡ値を受信して同期の獲得のためのアップリンクタイミング調節を実行する。
【０１３８】
図７は、本明細書の一実施形態によるｅＮＢにおける端末の要請により端末がアップリンク同期の獲得を行うことができるようにサポートする図面を説明したものである。
【０１３９】
図７を参照すると、ｅＮＢであるｅＮＢはＵＥのＲＲＣモードを確認する（Ｓ７０２）。ｅＮＢとＵＥとの無線資源制御（ＲＲＣ）の接続状態がRRC_CONNECTEDの場合（Ｓ７０４）、ｅＮＢは次のステップ（Ｓ７１０）に進行する。
【０１４０】
仮に、RRC_CONNECTEDでない場合は、Ｓ７０５に進行する。Ｓ７０５で、ｅＮＢはＵＥからＲＲＣ接続要請が存否を確認することができる。ｅＮＢはＵＥからＲＲＣ接続要請を受信し（Ｓ７０５）、ＲＲＣ接続を完了する（Ｓ７０６）。この際、ｅＮＢはＵＥからＲＲＣ接続要請メッセージを受信し、ＲＲＣ接続設定メッセージを転送し、最終的にＵＥからＲＲＣ接続設定完了メッセージを受信してＲＲＣ接続を完了する。先に、Ｓ４０５、Ｓ５０５、Ｓ６０５で説明したように、無線資源制御接続のためにＰＣｅｌｌを利用することができる。
【０１４１】
ｅＮＢはRRC_CONNECTEDのＵＥに対して使用可能な少なくとも１つのＣＣを含むＣＣ集合を設定し、上記設定されたＣＣ集合情報をＵＥに送信する（Ｓ７１０）。
【０１４２】
そして、ｅＮＢは上記ＵＥのＣＣ集合情報を基盤に集合内の少なくとも１つの特定コンポーネントキャリアに対するＳＩを送信する（Ｓ７２０）。ここで、上記ＣＣ集合情報はＲＲＣメッセージを通じて転送可能である。また、上記設定されたＣＣ集合のＳＩはブロードキャストチャンネルを介して転送可能である。
【０１４３】
ｅＮＢはアップリンクタイミンググループ生成を実行する主体がｅＮＢであるか否かを確認する（Ｓ７２２）。仮に、ｅＮＢでアップリンクタイミンググループを生成する場合、上記ＵＥのＣＣ集合情報を考慮してアップリンクタイミンググループを生成し、生成されたアップリンクタイミンググループに対する情報をＵＥに送信する（Ｓ７２６）。勿論、アップリンクタイミンググループを生成してこれに対する情報は、Ｓ７１０のＣＣ集合情報を設定して送信する時点と共に進行したり、ＣＣ集合情報と共にアップリンクタイミンググループの情報を送信したりすることができる。
【０１４４】
一方、ｅＮＢはＵＥからランダムアクセスプリアンブルを受信する（Ｓ７４０）。上記プリアンブルはユーザ端末が同期化を要請する同期化要請メッセージに含まれることができる。Ｓ７４０は、アップリンクタイミンググループ生成を実行する主体がＵＥである場合も含む。即ち、ＵＥがＳ７１０の使用可能なＣＣ集合情報と、Ｓ７２０の該当ＣＣのＳＩ情報を参照してアップリンクタイミンググループを生成し、生成されたタイミンググループ別に代表コンポーネントキャリアを設定して、該当代表コンポーネントキャリアを通じてランダムアクセスプリアンブルを送信する動作を含む。したがって、ｅＮＢはＵＥから送信されたプリアンブルを受信するようになる。ここで、ｅＮＢはＵＥから同期化要請メッセージ、例えば、プリアンブルを多数の代表コンポーネントキャリアを通じて同時に、または時間上離隔して、即ち、上記生成されたタイミンググループ別に代表コンポーネントキャリアを通じて順次に受信することができる。
【０１４５】
その後、ｅＮＢは受信されたプリアンブルに対してランダムアクセス応答メッセージを送信するが、この場合、上記ＵＥに割り当てられたアップリンク割当情報と各アップリンクタイミンググループ別のＴＡ情報とを共に送信する（Ｓ７５０）。
【０１４６】
上記ＴＡ値は、ユーザ端末のアップリンク転送時間の調節に必要とするアップリンク同期化情報の一実施形態となる。また、アップリンクタイミンググループ別のＴＡ情報を多数の代表コンポーネントキャリアを通じて同時に、または離隔して送信することができる。ここで、上記アップリンクタイミンググループ別のＴＡ情報は、グループインデックスに対応してＴＡ値を含むテーブルの形態で転送できる。また、定まった基準ＴＡ値に対応して各タイミンググループ別に定まった単位誤差を含む形態に転送できる。この際、上記グループ別の誤差は定まった単位値に対応して整数倍の大きさで表記できる。または、グループ別の誤差を具体的に明示することもできる。または、定まった規則に従ってＴＡを表す指示子の形態で転送されることを含むことができる。
【０１４７】
そして、ｅＮＢはＵＥにＣＲメッセージを送信する（Ｓ７６０）。これは、ＵＥをして受信したＴＡ値の有効性を確認して該当グループのＴＡ値がアップデートできるように動作することを含む。
【０１４８】
図８は、本明細書の一実施形態によるＵＥでアップリンクタイミンググループを用いてアップリンク同期化を獲得する過程を示す図である。
【０１４９】
図８を参照すると、ＵＥはＲＲＣモードを確認する（Ｓ８０２）。仮に、RRC_CONNECTEDでない場合、即ち、ＩＤＬＥモードの場合には、ＵＥはＲＲＣ接続設定過程を実行する。
【０１５０】
ここに、ＵＥはＲＲＣ接続を設定する特定コンポーネントキャリアを選択し（Ｓ８０６）、選択した特定コンポーネントキャリアでＲＲＣ接続要請（RRC Conneciton Request）メッセージを転送し、ｅＮＢからＲＲＣ接続設定（RRC Conneciton setup）メッセージを選択した特定コンポーネントキャリアを通じて受信した後、最終的にｅＮＢにＲＲＣ接続設定完了（RRC Conneciton setup complete）メッセージを転送してＲＲＣ接続設定を完了する（Ｓ８０８）。
【０１５１】
ＲＲＣモードを確認した結果、ＵＥがRRC_CONNECTEDの場合（Ｓ８０４）、アップリンクが持続的に維持されているか否かを確認する（Ｓ８１０）。
【０１５２】
アップリンクが維持されていなければ、ステップＳ８１２に進行する。Ｓ８１２でＵＥはｅＮＢからＲＲＣ接続再構成（RRC Connection setup Reconfiguration）メッセージを受信するか否かを確認する（Ｓ８１２）。
【０１５３】
ここで、ＵＥのＲＲＣモードがＩＤＬＥモードの場合、またはＲＲＣ接続再構成を実行する場合、ｅＮＢは該当ＵＥのコンポーネントキャリア集合を定義して転送できない。したがって、ＵＥはｆ−i）ＵＥが測定した情報を基盤にＲＲＣ接続（RRC Connection）を試みる最も適したコンポーネントキャリア選択、ｆ−ii）ＵＥの内部メモリに格納されているシステムで固定的に設定した情報利用、ｆ−iii）ｅＮＢでシステム情報を通じてＵＥに転送した情報利用、ｆ−iv）ＵＥ内部メモリに格納されている有効なコンポーネントキャリアのシステム情報利用のうちの１つを使用して、ＲＲＣ接続を進行する少なくとも１つ以上のコンポーネントキャリアを選択し、コンポーネントキャリア集合情報を構成することができる。一方、ＲＲＣ接続が完了してＵＥのモードがＲＲＣ接続（RRC Connected）モードになれば、Ｓ８３０に進行する。
【０１５４】
仮に、ＵＥがハンドオーバーを進行していると、受信したＲＲＣ接続再構成メッセージを確認して（Ｓ８１４）、モビリティ制御情報（Mobility Control Information；ＭＣＩ）を確認する（Ｓ８１６）。そして、確認したＭＣＩ情報を基盤に目標ｅＮＢ（Ｔ−ｅＮＢ）から該当ＣＣの同期の獲得のための情報を確認する（Ｓ８１８）。即ち、ＵＥは目標ｅＮＢ（Ｔ−ｅＮＢ）からアップリンク同期化を獲得することができる。仮に、ＵＥがハンドオーバーを進行していなければ、受信したＲＲＣ接続再構成メッセージのみを確認し（Ｓ８１４）、Ｓ８１６及びＳ８１８手続きを進行しない。
【０１５５】
再度説明すると、アップリンク同期化を獲得する過程で、仮にＵＥがハンドオーバーしていない場合、ＵＥはソースｅＮＢ（Source eNB；Ｓ−ｅＮＢ）と該当コンポーネントキャリアのアップリンク同期を獲得するための手続きを進行してアップリンク同期を獲得する。一方、他の実施形態に、ＵＥがハンドオーバーしている場合、ＵＥは該当コンポーネントキャリアのアップリンク同期を獲得するための手続きをソースｅＮＢから転送された目標ｅＮＢ（Target eNB；Ｔ−ｅＮＢ）のコンポーネントキャリアのシステム情報に基づいてアップリンク同期を獲得するための手続きを進行してアップリンク同期を獲得する。好ましくは、ランダム接続手続きを利用することもでき、その以外の手続きが適用されることもできる。
【０１５６】
その後、ＵＥはソースｅＮＢ（Ｓ−ｅＮＢ）または目標ｅＮＢ（Ｔ−ｅＮＢ）との同期を合せるために、任意のプリアンブルを選択してソースｅＮＢ（Ｓ−ｅＮＢ）または目標ｅＮＢ（Ｔ−ｅＮＢ）に転送する（Ｓ８２０）。上記プリアンブルは、ユーザ端末が同期化を要請する同期化要請メッセージに含まれることができる。上記ＵＥのプリアンブル転送によってソースｅＮＢ（Ｓ−ｅＮＢ）または目標ｅＮＢ（Ｔ−ｅＮＢ）からランダムアクセス応答メッセージを受信することができる。ここには、上記ＵＥのためのアップリンク割当情報とアップリンク同期を合せるための少なくとも１つ以上のＣＣを含むグループ別のＴＡ情報が含まれている（Ｓ８２２）。
【０１５７】
ＵＥはＣＲ過程を通じて上記Ｓ８２２で受信したＴＡが有効か否かを検証し（Ｓ８２４）、上記ＴＡが有効であると判断する場合、受信したＴＡ値によって少なくとも１つ以上のＣＣを含むアップリンクタイミンググループをアップデートする（Ｓ８２６）。
【０１５８】
一方、ＲＲＣ再構成メッセージを受信しない場合には、ステップＳ８２０に進行して該当動作を実行する。
【０１５９】
アップリンクが維持されたりＵＥがアップリンク同期化を獲得したりした状況で、ＵＥはｅＮＢからコンポーネントキャリアの集合情報を受信する（Ｓ８３０）。また、受信したＣＣ集合に対するＳＩ情報を受信する（Ｓ８３２）。
【０１６０】
その後、ＵＥはアップリンクタイミンググループ情報を受信したか否かを確認する（Ｓ８４０）。この際、アップリンクタイミンググループ情報がｅＮＢで生成される場合、ＵＥは上記ＣＣ集合情報受信過程、あるいは別途のメッセージを通じて上記アップリンクタイミンググループ情報を受信することができる。上記アップリンクタイミンググループ情報には各グループ別の代表ＣＣ情報も含まれることができる。仮に、上記アップリンクタイミンググループ情報に各グループ別の代表ＣＣ情報が含まれていると、Ｓ８５２の手続きを進行しないが、仮に上記アップリンクタイミンググループ情報に各グループ別の代表ＣＣ情報が含まれていなければ、ＵＥは受信したアップリンクタイミンググループ情報を確認して、該当アップリンクタイミンググループで代表ＣＣを設定する（Ｓ８５２）。上記代表ＣＣは、図４のｃ−i）〜ｃ−v）条件を考慮して設定されることができる。また、各アップリンクタイミンググループのＴＡ調整のための代表ＣＣは、全てのグループに同一な基準を適用して設定されることもでき、各アップリンクタイミンググループの特性を考慮して相異する基準を適用して設定されることもできる。
【０１６１】
一方、アップリンクタイミンググループ情報を受信しないか、受信したアップリンクタイミンググループ情報が、現在ＵＥが位置した無線状況またはＵＥに適しない場合、ＵＥは受信したＣＣ集合情報を考慮してアップリンクタイミンググループ情報を設定する（Ｓ８５０）。そして、設定したアップリンクタイミンググループ内で上記タイミンググループを代表する特定ＣＣを設定する（Ｓ８５２）。
【０１６２】
ＵＥは、代表ＣＣを通じてプリアンブルを選択して送信する（Ｓ８５４）。これは、代表コンポーネントキャリアが設定された後、ＴＡをアップデートする状況が発生した場合にも適用できる。
【０１６３】
そして、ＵＥはｅＮＢからランダムアクセス応答メッセージを受信する。この際、ＵＥのアップリンク割当情報と各アップリンクグループ別のＴＡ情報を受信する（Ｓ８５６）。ここで、ＵＥは上記アップリンクタイミンググループ別のグループインデックスに対応するテーブル形態のＴＡ値を確認することができる。また、ＵＥは定まった基準ＴＡ値に対応して各タイミンググループ別の単位誤差を含む形態のＴＡ差値を確認することができる。また、定まった単位値に対応して整数倍の大きさに定まるアップリンクタイミンググループ別の誤差を確認することもできる。また、具体的に明示された各アップリンクタイミンググループ別の誤差を確認することもできる。また、定まった規則によって指示子形態に定まったＴＡ指示子を確認することもできる。
【０１６４】
その後、ＵＥはＣＲ過程を通じて受信したＴＡが有効か否かを検証する（Ｓ８６０）。
【０１６５】
確認したＴＡが有効であることを確認した場合、ＵＥはアップリンクタイミンググループ別のＴＡ値をアップデートする（Ｓ８７０）。
【０１６６】
ここで、本明細書の一例によって、ＵＥはアップリンクタイミンググループ別のＴＡをアップデートした結果を、代表ＣＣを通じてｅＮＢに転送することもできる。即ち、ｅＮＢとのより正確な同期の獲得のために、ＴＡ値確認手続きをさらに進行することもできる。
【０１６７】
図９は、本発明の一実施形態に係るＵＥの動作に対する図である。ここで、初期アップリンクタイミンググループの設定がｅＮＢで実行される場合、ＵＥの動作を図示したものである。
【０１６８】
図９を参照すると、ＵＥはｅＮＢからＣＣセット情報を受信する（Ｓ９７２）。上記ＣＣセット情報はＰＣＣ（Primary Component Carrieror Pcell）を通じて（via）受信できる。ＰＣＣは前述したＰＣｅｌｌに、ＩＤＬＥモードであるＵＥは無線資源制御接続のために上記選択条件を基準に１つのダウンリンクコンポーネントキャリアを選択し、上記選択したコンポーネントキャリアを通じて転送される放送チャンネル（broadcasting channel）を介してシステム情報を受信することができる。上記ＣＣセット情報は、ＲＲＣメッセージを通じて転送できる。
【０１６９】
ＵＥは、上記受信したＣＣセット情報を基盤にＣＣセット内ＣＣに対するＳＩを受信する（Ｓ９７４）。上記ＳＩは放送チャンネルを介して多数のＵＥに共通に転送されることもでき、またはＲＲＣメッセージを通じて専用チャンネル形態に転送されることもできる。上記ＳＩはＰＣＣを通じて転送できる。ここに、ＵＥは上記ＳＩを用いてＣＣセット内のアップリンクＣＣを構成する。
【０１７０】
また、上記ステップＳ９７４で、ＵＥはｅＮＢから使用する各ＣＣのＲＡＰまたは時間／周波数資源に対する情報を受信することができる。上記受信された各ＣＣのＲＡＰまたは時間／周波数資源に対する情報を用いてＵＥは最初のアップリンクタイミンググループを設定することができる。上記ＲＡＰまたは時間／周波数資源に対する情報は、ＰＣＣを通じて上記ＳＩ内に含まれて転送されたり、またはＲＲＣメッセージの形態で転送されたりできる。
【０１７１】
ＵＥは受信されたＳＩ内のＲＡＣＨ情報とＣＣパラメータを基盤にアップリンク同期の獲得のために構成された全てのアップリンクＣＣを通じて同時にＲＡＰが転送できるか否かを確認する（Ｓ９７６）。
【０１７２】
ここで、上記ＵＥはｅＮＢにより設定された‘構成されたアップリンクＣＣ’のＲＡＣＨパラメータのうち、上記ＵＥ専用（specific）ＲＡＣＨパラメータを確認する。
【０１７３】
この際、上記ＵＥ専用ＲＡＣＨパラメータのうち、ＲＡＰ情報が設定されている場合、ＵＥは自身のＲＡＰ情報を確認して、各構成されたアップリンクＣＣに転送するＲＡＰを設定する。ここで、上記ＲＡＰ情報はｅＮＢがＵＥの区別のためにＵＥ毎に相異するように設定したプリアンブル情報である。
【０１７４】
または、上記ＵＥ専用ＲＡＣＨパラメータのうち、時間／周波数資源情報が設定されている場合、ＵＥは自身の時間／周波数資源情報を確認して、各構成されたアップリンクＣＣに転送するＲＡＰを設定する。ここで、上記時間／周波数資源情報はｅＮＢがＵＥ毎に相異するように設定した情報である。
【０１７５】
上記ステップＳ９７６の確認結果、構成された全てのアップリンクＣＣを通じて同時にＲＡＰを転送可能であることを確認したＵＥは同時にＲＡＰを転送する（Ｓ９７８）。
【０１７６】
一方、上記ステップＳ９７６の確認結果、ＵＥが全てのアップリンクＣＣを通じて同時にＲＡＰを転送できないことを確認した場合、ＵＥはステップＳ９９０に進行する。
【０１７７】
上記ＲＡＰ同時転送と関連して、ＵＥは多数個のアップリンクＣＣのうち、各々のアップリンクＣＣのＳＩ内に存在するＲＡＣＨパラメータを確認し、上記ＲＡＣＨパラメータに定義されている多数の時間／周波数資源を確認して、同一な時間にＲＡＣＨを転送するＲＡＰ転送時間（rach_t）を選択することができる。上記ＲＡＰ転送時間（rach_t）は、上記ＵＥにより全てのアップリンクＣＣを通じて上記ＲＡＰが同一に転送される時間である。
【０１７８】
ところが、ＵＥが上記ＲＡＰ転送時間（rach_t）を設定できない場合、即ち、ＵＥが同一な時間に構成された全てのアップリンクＣＣを通じてＲＡＰを転送できない場合、ＵＥはｅＮＢにＲＡＰ資源情報要請メッセージを転送する（Ｓ９９０）。
【０１７９】
一例として、全てのアップリンクＣＣのＲＡＣＨパラメータを確認してＲＡＰを転送することができる時間がｔ０、ｔ１に制限されていると仮定する。このような場合、ＵＥはＣＣ１、ＣＣ３、ＣＣＮを通じてｔ０時間にＲＡＰを転送可能であることを確認し、ｔ１時間では転送不能であることを確認し、一方、ＣＣ２を通じてｔ１時間にＲＡＰを転送可能であることを確認し、ｔ０時間では転送不能であることを確認した場合、ＵＥはｅＮＢにＲＡＰ資源情報要請メッセージを転送することができる。
【０１８０】
その後、上記ＲＡＰ資源情報要請に対する応答として、ＵＥはｅＮＢからＲＡＰ資源情報応答メッセージを受信する（Ｓ９９２）。ここで、上記ＲＡＰ資源情報要請メッセージを受信したｅＮＢは、上記ＵＥが全てのＣＣｓを通じて同時にＲＡＰを転送できないことを確認することができる。したがって、ｅＮＢは上記ＵＥのＲＡＰ転送時に使用する転送時間周波数資源及びプリアンブル種類をＲＡＰ資源情報応答メッセージに含んでＵＥに転送する。
【０１８１】
ここに、ＵＥは上記ＲＡＰ資源情報応答メッセージ内の情報を基盤に構成された全てのアップリンクＣＣを通じてＲＡＰを転送する（Ｓ９９４）。一方、仮にｅＮＢから受信されたＲＡＰ資源情報応答メッセージにＲＡＰ資源情報が存在しない場合、ＲＡＰを転送しなければならない時点で構成された全てのアップリンクＣＣを通じて同時にＲＡＰを転送することができる最大限速い時間を選択する。この際、全てのＣＣで同一なＲＡＰを選択して同時にＲＡＰを転送することができる。
【０１８２】
その後、ｅＮＢからＰＣＣを通じてアップリンクタイミンググループ情報を受信する（Ｓ９８０）。即ち、ｅＮＢはＵＥから転送されたＲＡＰを確認して上記ＵＥがアップリンクタイミンググループの設定を要請することを確認し、上記ＲＡＰを通じて受信されたプリアンブルを用いてＴＡ値を計算した後、上記計算されたＴＡ値を基盤に上記ＵＥのアップリンクタイミンググループを生成する。上記生成したアップリンクタイミンググループ情報を上記ＵＥに転送する。
【０１８３】
上記アップリンクタイミンググループ情報は、ＰＣＣ（ＰＣｅｌｌ）を通じてＰＤＣＣＨ、媒体アクセス制御（Media Access Control；以下、‘ＭＡＣ’と称する）メッセージの制御情報の形態で、またはＲＲＣメッセージを通じて受信できる。
【０１８４】
ＵＥはｅＮＢから構成された全てのアップリンクＣＣと接続設定されているダウンリンクＣＣのうちの一部または全てのダウンリンクＣＣでＲＡＲを同時に受信することができる（Ｓ９８２）。上記接続設定は、無線通信システム内で固定的に設定されることもでき、ＳＩを用いてｅＮＢ毎に設定されることもでき、ＲＲＣメッセージを通じてＵＥまたはＵＥグループ毎に設定されることもできる。
【０１８５】
上記ＲＡＲメッセージは、一例として、ｅＮＢにより受信されたＵＥプリアンブルの識別情報、ｅＮＢの識別子（ＩＤ）、臨時Ｃ−ＲＮＴＩ（Cell Radio Network Temporary Identifier）、上記ＵＥプリアンブルを受信したタイムスロットに対する情報、アップリンクグラント情報（UL grant）、そしてアップリンク同期化のためのタイミング情報（ＴＡ）などを含むことができる。
【０１８６】
ここに、ＵＥは上記受信したＴＡ情報を用いて決まったスケジュール時点で、アップリンクグラント情報に含まれている時間周波数資源情報を用いてＰＵＳＣＨを介してデータを送信し、ＨＡＲＱを実行することもできる。
【０１８７】
ＵＥはＲＡＲを受信したＣＣに対してＴＡ有効性を同時に検証することができる（Ｓ９８４）。この際、上記ＵＥ専用ＲＡＣＨパラメータのうち、ＲＡＰ情報が設定されている場合、ＵＥはＴＡ有効性検証を省略することができる。
【０１８８】
前述したように、ＵＥはｅＮＢから受信されたＡＣＫメッセージに含まれたＣ−ＲＮＴＩ、Ｔ＿Ｃ−ＲＮＴＩ、またはＵＥアイデンティティ（UE identity）が自身に割り当てられたＣ−ＲＮＴＩ、Ｔ＿Ｃ−ＲＮＴＩ、またはＵＥアイデンティティ（UE identity）と同一か否かを確認して、上記ＴＡの有効性を同時に検証することができる。ここで、ＵＥはＣ−ＲＮＴＩ、Ｔ＿Ｃ−ＲＮＴＩ、またはＵＥアイデンティティ（UE identity）を含むＬ２／Ｌ３メッセージをｅＮＢに転送し、ｅＮＢからＬ１／Ｌ２メッセージを受信する。これは、ＡＣＫメッセージがＨＡＲＱ動作に基づいたものであるためである。
【０１８９】
ＵＥはＲＡＲ受信を通じてｅＮＢが、上記ＲＡＲが受信されたダウンリンクＣＣと接続設定されているアップリンクＣＣをグループ内の代表ＣＣに設定したということを認知し、上記アップリンクＣＣをグループ内の代表ＣＣに設定する（Ｓ９８６）。
【０１９０】
ＵＥは、各グループ内の他のＣＣに対して上記ステップＳ９７２で受信した代表ＣＣのＴＡ値を反映してアップデートする（Ｓ９８８）。
【０１９１】
図１０は、本明細書の一実施形態による送信装置の構成を示す図である。
【０１９２】
図１０を参照すると、送信装置１０００はＵＥのＲＲＣモードを確認する接続モード確認部１００５、ＵＥが使用可能な少なくとも１つ以上のＣＣを含んでＣＣ集合を決めるＣＣ集合決定部１０２０、アップリンクタイミンググループを生成するアップリンクタイミンググループ生成部１０３０、送受信部１０５０を含み、制御部１０１０は上記の構成要素を制御する。
【０１９３】
制御部１０１０は、上記アップリンク同期を設定するためにアップリンクタイミンググループに対応するアップリンク同期化情報を生成する。そして、上記送受信部１０５０は、ユーザ端末から上記アップリンクタイミンググループ内の１つ以上の代表コンポーネントキャリアを通じて同期化要請メッセージを受信し、上記アップリンク同期化情報を上記１つ以上の代表コンポーネントキャリアを通じて上記ユーザ端末に送信する。勿論、ここで上記１つ以上の代表コンポーネントキャリアは、上記アップリンク同期を獲得するために、上記アップリンクタイミンググループの状態及び上記アップリンクタイミンググループを構成する多数のコンポーネントキャリアの特徴を考慮して、上記ユーザ端末により選択されたことを特徴とし、より詳しくは、上記１つ以上の代表コンポーネントキャリアは、前述したように、ｃ−i）〜ｃ−v）のうちの少なくとも１つに該当する。そして、コンポーネントキャリアは前述したサービングセル内に含まれる。
【０１９４】
より詳しくは、上記ＲＲＣモード確認部１００５はＵＥとｅＮＢとの接続状態を確認して、接続されていない状態、即ち、UE RRC_IDLEであるとか、またはアップリンク同期化がなされていない場合、ＵＥの接続状態をRRC_CONNECTEDに状態を変更したり、アップリンク同期化がなされるようにしたりすることができる。この場合、前述したように、ＵＥとＰＣＣを用いて無線資源制御接続を実行することができる。
【０１９５】
一例として、上記ＲＲＣモード確認部１００５は送受信部１０５０を通じてＵＥから転送されたＲＲＣ接続要請（RRC Conneciton Request）メッセージを受信し、ＲＲＣ接続設定メッセージをＵＥに転送するように動作する。また、ＵＥからＲＲＣ接続設定完了メッセージを受信してＲＲＣ接続設定を完了した後、UE RRC_CONNECTEDモードを確認することができる。
【０１９６】
コンポーネントキャリア集合決定部１０２０は、ＵＥが使用することができる少なくとも１つ以上のＣＣを確認してＵＥのＣＣ集合を設定する。この際、上記ＵＥのためのＣＣ集合は、使用（構成）できるＣＣ同士間のアップリンク同期時間差、各ＣＣのタイプ情報、各ＣＣの中心周波数位置、各ＣＣのサービスサポートの形態、及び各ＣＣのためのネットワークサービスなどを考慮してＵＥのＣＣ集合を設定することができる。
【０１９７】
上記制御部１０１０は、コンポーネントキャリア集合決定部１０２０で決まったコンポーネントキャリア集合を上記ユーザ端末により使われるコンポーネントキャリア集合に設定するようになり、送受信部１０５０は同期化要請メッセージを受信する前に、上記設定されたコンポーネントキャリア集合に対する情報を主サービングセルまたは主コンポーネントキャリアを通じて上記ユーザ端末に送信することができる。
【０１９８】
アップリンクタイミンググループ生成部１０３０は、上記コンポーネントキャリア集合決定部１０２０で決まったＣＣ集合を反映してＵＥのアップリンクタイミンググループを生成する。ここで、タイミンググループは、前述した条件（ａ−i〜ａ−vまたはｂ−i〜ｂ−iv）のうちの１つ以上を満たすように生成できるコンポーネントキャリア同士間の中心周波数値の差としきい値とを比較したり、同一／相異するビームフォーミング形態を有するコンポーネントキャリアであるかを確認したり、アップリンク同期更新要請によって更新されたコンポーネントキャリアであるか、またはマクロ（Macro）セルでサービスしないコンポーネントキャリアであるが、マクロより小さなセル（femto cell、pico cell、micro cell、relay、repeater）などにより重畳した空間でサービスされるコンポーネントキャリアであるかなどを確認して決定することができる。
【０１９９】
上記送受信部１０５０は、ＵＥにＣＣ集合情報とアップリンクタイミンググループ情報を送信する。この際、送受信部１０５０は、図５のように、上記アップリンクタイミンググループ情報を上記コンポーネントキャリア集合情報と共に送信することができ、または図６のように、上記アップリンクタイミンググループ情報を上記コンポーネントキャリア集合情報と区分して送信することができる。また、送受信部１０５０はＣＣ集合情報を送信した後、追加的にシステム情報（ＳＩ）を送信することもできる。したがって、ＵＥをして上記ＣＣ集合情報と、ＳＩ情報に基づいてアップリンクタイミンググループを設定するように提供することもできる。
【０２００】
一方、送受信部１０５０はＵＥから同期化を要請する同期化要請メッセージ、例えばランダムアクセスプリアンブル（Random Access Preamble）を含むメッセージを受信することができる。即ち、上記アップリンクタイミンググループに対応してＵＥにより決まった代表コンポーネントキャリアを通じて転送されるランダムアクセスプリアンブルを確認して各アップリンクタイミンググループに対するＴＡ値を転送することを含む。上記同期化要請メッセージの受信は、１つ以上の代表コンポーネントキャリアを通じて同時にまたは離隔して順次に受信することができる。
【０２０１】
また、送受信部１０５０はＵＥから転送されるランダムアクセスプリアンブルメッセージを通じてアップリンクタイミンググループ生成部１０３０をして決まったアップリンクタイミンググループに対して全体または一部を修正するように提供することができる。
【０２０２】
制御部１０１０は、上記受信したランダムアクセスプリアンブルに対して同期化と関連した情報、例えば、アップリンク割当、同期化と関連したＴＡ情報などを含んだメッセージを生成してＵＥに送信するように送受信部１０５０を制御する。この際、上記ＴＡ情報を含むメッセージは前述したランダムアクセス応答メッセージを含む。同期化と関連した情報は先のアップリンク転送時間を操り上げることに必要な情報であるＴＡ情報を含む。したがって、上記制御部１０１０は上記送受信部１０５０をしてアップリンクタイミンググループに対して同期化情報を生成して送信するように制御することができる。
【０２０３】
ここで、上記制御部１０１０は各アップリンクタイミンググループ別のＴＡ情報をグループインデックスに対応してＴＡ値を含むテーブル形態に生成することができ、各タイミンググループ別に定まった単位誤差を含むＴＡ値を生成することができ、各タイミンググループ別の誤差は定まった単位値に対応して整数倍の大きさを有するように生成することができ、またはタイミンググループ別の誤差を具体的に明示することもできる。または、定まった規則によってＴＡを表す指示子形態に転送するように送受信部１０５０を制御することができる。上記ＴＡ値はユーザ端末がアップリンク転送時間を調節することに必要なアップリンク同期化情報の一実施形態となり、上記アップリンクタイミンググループに対する同期化情報は、１つ以上の代表コンポーネントキャリアを通じて同時にまたは離隔して送信できる。
【０２０４】
上記アップリンク同期化情報は、前述したように、上記ユーザ端末に構成されるコンポーネントキャリア集合内の多数のコンポーネントキャリア同士間の中心周波数値の差と予め定まったしきい値とを比較して計算されるか、または同一なビームフォーミング形態を有するコンポーネントキャリア、同期化更新要請によって更新されたコンポーネントキャリア、またはマクロセルでサービスしないコンポーネントキャリアであるが、上記マクロセルより小さなカバレッジセルによって重畳した空間でサービスされるコンポーネントキャリアであるかを確認して相異する転送時間を有するように計算されることを特徴とする。
【０２０５】
また、制御部１０１０は全ての構成要素を制御することができ、一部の構成要素は独立的に動作することができる。図１０の構成要素は１つまたは２つ以上のモジュールに含まれて構成されることができ、２つ以上のモジュールで１つの機能を実現するように構成されることもできる。
【０２０６】
図１１は、本明細書の一実施形態による受信装置の構成を示す図である。
【０２０７】
図１１を参照すると、受信装置１１００は、接続モード確認部１１０５、ＣＣ集合確認部１１０７、制御部１１１０、アップリンクタイミング調整部１１２０、アップリンクタイミンググループ生成部１１３０、及び送受信部１１５０を含む。
【０２０８】
送受信部１１５０は基地局にアップリンクタイミンググループ内の１つ以上の代表コンポーネントキャリアを通じて同期化要請メッセージを送信し、上記１つ以上の代表コンポーネントキャリアを通じてアップリンク同期化情報を受信し、制御部１１１０は上記送受信部を制御する。そして、制御部１１１０は上記送受信部により受信されたアップリンク同期化情報を確認する。一方、アップリンクタイミング調整部１１２０は上記制御部により確認された上記アップリンク同期化情報を用いて上記アップリンクタイミンググループのアップリンク同期を設定する。即ち、アップリンクタイミング調整部１１２０は、上記送受信部が受信したアップリンク同期化情報を用いて上記アップリンクタイミンググループのアップリンク同期を設定する。ここで、上記制御部１１１０は、上記送受信部により上記送信された同期化要請メッセージに対応して受信されたランダムアクセス応答メッセージを通じて上記アップリンク割当情報と上記アップリンクタイミンググループに対応する各グループ別のアップリンク転送時間を調節するように計算されたタイミング補正（ＴＡ）の値を確認する。そして、アップリンクタイミング調整部１１２０は、上記制御部により確認されたアップリンク同期化情報を用いて、上記アップリンクタイミンググループに対応して区別されたタイミング補正（ＴＡ）の値を有してアップリンク同期を設定したり、上記アップリンクタイミンググループに対応して区別された定まった単位誤差を有してアップリンク同期を設定したり、上記アップリンクタイミンググループに対応して区別された誤差が定まった単位値に対応して整数倍の大きさを有してアップリンク同期を設定したり、上記アップリンクタイミンググループに対応して定まった規則に従う指示子を用いてアップリンク同期を設定し、上記アップリンク同期化情報は、上記アップリンクタイミンググループのグループインデックスに対応して区別できる。
【０２０９】
勿論、ここで上記１つ以上の代表コンポーネントキャリアは、上記アップリンク同期を獲得するために、上記アップリンクタイミンググループの状態及び上記アップリンクタイミンググループを構成する多数のコンポーネントキャリアの特徴を考慮して、上記ユーザ端末により選択されたことを特徴とし、より詳しくは、上記１つ以上の代表コンポーネントキャリアは、前述したように、ｃ−i）〜ｃ−v）のうちの少なくとも１つに該当する。そして、コンポーネントキャリアは前述したサービングセル内に含まれる。
【０２１０】
より詳しく説明すると、次の通りである。接続モード確認部１１０５は、ｅＮＢとの接続状態を確認する。即ち、UE RRC_IDLEであるとか、ｅＮＢとアップリンク同期化がなされない場合、ＵＥをしてRRC_CONNECTEDに状態を変更したり、アップリンク同期化がなされるようにしたりすることができる。この場合、前述したように、ＵＥとＰＣＣを用いて無線資源制御接続を実行することができる。
【０２１１】
一例として、上記図１０の接続モード確認部１００５は、送受信部１０５０を通じてｅＮＢにＲＲＣ接続要請（RRC Conneciton Request）メッセージを転送し、ｅＮＢからＲＲＣ接続設定メッセージを受信して、ＲＲＣ接続設定完了メッセージを通じてＲＲＣ接続設定を完了するようにする。
【０２１２】
送受信部１１５０は、ｅＮＢと情報を送受信する機能をする。一例として、送受信部１１５０はｅＮＢからＣＣ集合情報と同期化と関連した情報を受信するが、より詳しく説明すると、同期化要請メッセージを送信する前に上記ＣＣ集合情報を主サービングセルまたは主コンポーネントキャリアを通じて上記基地局から受信することができる。上記ＣＣ集合情報を受信した後、ｅＮＢからＣＣ集合内のＣＣに対するＳＩも受信することができる。ＳＩ情報は、ＣＣの周波数帯域情報、実際使用可能な周波数大きさ情報などを含む。
【０２１３】
コンポーネントキャリア集合確認部１１０７は、ＣＣ集合情報からＵＥが使用することができる少なくとも１つ以上のＣＣを確認する。上記ＣＣ集合は、ＵＥが使用することができるＣＣ同士間のアップリンク同期時間差、各ＣＣのタイプ情報、各ＣＣの中心周波数位置、各ＣＣのサービスサポート形態、及び各ＣＣのためのネットワークサービスなどを考慮して決まったものである。
【０２１４】
アップリンクタイミンググループ生成部１１３０は、上記コンポーネントキャリア集合決定部９２０で決まったＣＣ集合を反映してＵＥのアップリンクタイミンググループを生成する。ここで、アップリンクタイミンググループは、図１０に説明した条件事項（条件（ａ−i〜ａ−vまたはｂ−i〜ｂ−iv）のうちの１つ以上を）を反映してＵＥにより設定可能である。また、アップリンクタイミンググループ生成部１１３０は、アップリンクタイミンググループに対する代表コンポーネントキャリアを設定することができる。
【０２１５】
一例として、アップリンクタイミンググループ生成部１１３０が送受信部１１５０を通じてｅＮＢからＣＣ集合情報と共にコンポーネントキャリアに対するアップリンクタイミンググループ情報を受信した場合には、受信したアップリンクタイミンググループで代表コンポーネントキャリアを選択する。勿論、送受信部１１５０を通じてＣＣ集合情報と区分して別途のシグナリングを通じて上記アップリンクタイミンググループ情報を受信することもできる。
【０２１６】
したがって、アップリンクタイミンググループ生成部１１３０は、上記送受信部１１５０でコンポーネントキャリアに対するアップリンクタイミンググループ情報を受信しなかったり、またはｅＮＢで生成したアップリンクタイミンググループ情報が自身のネットワーク状況に適しなかったりする場合には、新しくアップリンクタイミンググループを生成することができる。
【０２１７】
また、制御部１１１０は上記送受信部１１５０を通じて同期化を要請する同期化要請メッセージを、上記代表コンポーネントキャリアを通じてｅＮＢに送信し、上記代表コンポーネントキャリアを通じて同期化と関連した情報をｅＮＢに受信するように制御する。
【０２１８】
一例として、送受信部１１５０をしてＵＥにより選択されたランダムアクセスプリアンブル（Random Access Preamble）を含むメッセージを転送し、ｅＮＢから転送されるランダムアクセス応答メッセージを受信するように制御することができる。また、ｅＮＢとのＲＲＣ再構成及び同期の獲得のためのメッセージを送受信するように制御することができる。上記同期化要請メッセージの送信は、１つ以上の代表コンポーネントキャリアを通じて同時に、または離隔して送信することができる。
【０２１９】
また、制御部１１１０は上記ランダムアクセス応答メッセージを通じてアップリンクタイミンググループ生成部９３０をして決まったアップリンクタイミンググループに対して全体または一部を修正するように制御することができる。
【０２２０】
特に、上記制御部１１１０は、上記ランダムアクセス応答メッセージに含まれている上記設定されたアップリンクタイミンググループに対応して各アップリンクタイミンググループに対するＴＡ値を確認するように制御することができる。また、上記ＵＥのアップリンク転送のための割り当てられた周波数資源情報を確認するように制御することができる。
【０２２１】
アップリンクタイミング調整部１１２０は、制御部１１１０により確認されたＴＡ値を確認して上記代表コンポーネントキャリアが含まれた該当アップリンクタイミンググループの全てのコンポーネントキャリアに対してＴＡ値を適用する。即ち、ｅＮＢとの同期化のために該当アップリンクタイミンググループにＴＡ値を適用する。ここで、各アップリンクタイミンググループ別のＴＡ情報は、グループインデックスに対応してＴＡ値を含むテーブルの形態で存在することができ、各タイミンググループ別に定まった単位誤差を含むＴＡ値として存在することもでき、各タイミンググループ別の誤差が定まった単位値に対応して整数倍の大きさを有するように存在することもでき、または具体的に明示されたタイミンググループ別の誤差として存在することもでき、定まった規則によってＴＡを表す指示子の形態で存在することもできる。したがって、アップリンクタイミング調整部１１２０は、各アップリンクタイミンググループに確認されたＴＡを適用して同期を獲得する。上記ＴＡ値は、ユーザ端末がアップリンク転送時間を調節することに必要なアップリンク同期化情報の一実施形態となり、上記アップリンクタイミンググループに対する同期化情報は、１つ以上の代表コンポーネントキャリアを通じて同時に、または離隔して受信できる。
【０２２２】
また、例えば、ＴＡ情報が同期化情報に含まれた場合、アップリンクタイミンググループの全てのコンポーネントキャリアに対して同一にＴＡ情報を設定することもできる。
【０２２３】
前述した制御部１１１０は全ての構成要素を制御することができ、一部の構成要素は独立的に動作することができる。図１１の構成要素は１つまたは２つ以上のモジュールに含まれて構成されることができ、２つ以上のモジュールで１つの機能を実現するように構成されることもできる。
【０２２４】
また、図９の場合を反映して、上記送受信部１１５０は、上記コンポーネントキャリア集合情報に基づいてコンポーネントキャリア集合内のコンポーネントキャリアに対するシステム関連情報を受信した後、上記制御部１１１０は、上記送受信部１１０５が受信したシステム関連情報で上記コンポーネントキャリア集合内の全てのアップリンクコンポーネントキャリアを通じて同時に上記同期化要請メッセージを基地局に送信するように上記送受信部１１０５を制御する。
【０２２５】
以後、上記送受信部１１０５は、上記基地局からアップリンクタイミンググループ情報を受信し、上記受信したアップリンクタイミンググループと関連したダウンリンクコンポーネントキャリアのうちの全部または一部のコンポーネントキャリアを通じてアップリンク同期化情報を同時に受信した以後、上記制御部１１１０は上記アップリンク同期化情報が受信されたコンポーネントキャリアと関連したアップリンクコンポーネントキャリアを上記受信したアップリンクタイミンググループ内の代表コンポーネントキャリアに設定することができる。
【０２２６】
したがって、本発明の一実施形態を利用すれば、多数のコンポーネントキャリアの使用時、各コンポーネントキャリアまたはコンポーネントキャリアグループの間の互いに異なるアップリンク同期を獲得することができるので、ＵＥで多数のコンポーネントキャリアを同時に使用してアップリンクに情報を転送する場合、同期の獲得の誤りによるデータ転送誤り及び基地局での情報受信遅延を減らす効果がある。
【０２２７】
また、本発明は多数のコンポーネントキャリアのコンポーネントキャリア毎にアップリンク同期基準が相異する場合、ＵＥで各コンポーネントキャリアのタイプ、中心周波数位置、及びサービス形態によってアップリンク同期が獲得できる長所を有する。
【０２２８】
本特許出願は、２０１０年２月１０日付で韓国に出願した特許出願番号第１０−２０１０−００１２５６４号、２０１０年３月２６日付で韓国に出願した特許出願番号第１０−２０１０−００２７２３０号、及び２０１１年１月２８日付で韓国に出願した特許出願番号第１０−２０１１−０００８６８３号に対し、米国特許法１１９（ａ）条（３５Ｕ．Ｓ．Ｃ§１１９（ａ））により優先権を主張し、その全ての内容は参考文献として本特許出願に併合される。併せて、本特許出願は、米国以外の国家に対しても上記と同一な理由により優先権を主張すれば、その全ての内容は参考文献として本特許出願に併合される。
【図１】
2013520065.tif 000004
【図２】
2013520065.tif 000005
【図３】
2013520065.tif 000006
【図４】
2013520065.tif 000007
【図５】
2013520065.tif 000008
【図６】
2013520065.tif 000009
【図７】
2013520065.tif 000010
【図８】
2013520065.tif 000011
【図９】
2013520065.tif 000012
【図１０】
2013520065.tif 000013
【図１１】
2013520065.tif 000014
【国際調査報告】
2013520065.tif 000015
2013520065.tif 000016
2013520065.tif 000017
2013520065.tif 000018